(57)【要約】  本発明は、無線中継システムにおける再送制御技術に関し、無線中継システムにおける再送処理の遅延を抑制することを目的とする。そのため、本発明では、ＲＳ（２）において、過去の送信データに対するＭＳ（３）からの受信結果が受信失敗（ＮＡＫ）であると、新規データ（＃２）送信のための無線リソースの割当情報を基に過去の送信データ（＃１）を再送するための第２の割当情報を生成して、当該第２の割当情報と前記過去の送信データ（＃１）とをＭＳ（３）へ送信するとともに（Ａ１３，Ａ１４）、前記新規データ（＃２）をバッファする。
2008129677.tif 000002
【特許請求の範囲】
【請求項１】
無線基地局から１又は複数の無線中継局を介して無線端末へデータを中継する無線中継システムにおける再送制御方法であって、
前記無線基地局又は当該無線基地局よりも前記無線端末に近い側の無線中継局は、
自局よりも下位の無線中継局から前記無線端末に至る経路の無線リンクにおいて新規データを送信するための無線リソースの第１の割当情報と、前記新規データとを送信し、
前記第１の割当情報と前記新規データとを受信する無線中継局である着目中継局は、
前記第１の割当情報を基に受信データを前記下位の無線中継局又は前記無線端末へ送信するための第２の割当情報を生成する過程において、過去の送信データに対する前記下位の無線中継局又は前記無線端末からの受信結果を確認し、
前記受信結果が受信失敗であると、前記第１の割当情報を基に前記過去の送信データを再送するための第２の割当情報を生成し、
当該第２の割当情報と前記過去の送信データとを前記下位の無線中継局又は前記無線端末へ送信するとともに、前記新規データをバッファする
ことを特徴とする、無線中継システムにおける再送制御方法。
【請求項２】
前記着目中継局は、
前記受信結果が受信成功であると、前記第１の割当情報を基に前記新規データを前記下位の無線中継局又は前記無線端末へ送信するための第２の割当情報を生成し、
当該第２の割当情報と前記新規データとを前記下位の無線中継局又は前記無線端末へ送信する
ことを特徴とする、請求項１記載の無線中継システムにおける再送制御方法。
【請求項３】
前記着目中継局は、
前記新規データをバッファしている場合において、新たに前記第１の割当情報を受信すると、当該第１の割当情報を基に前記第２の割当情報を生成する過程において、過去の送信データに対する前記下位の無線中継局又は前記無線端末からの受信結果を確認し、
前記受信結果が受信成功であると、前記バッファしている新規データを送信するための第２の割当情報を生成し、
当該第２の割当情報と前記バッファしている新規データとを前記下位の無線中継局又は前記無線端末へ送信する
ことを特徴とする、請求項１又は２に記載の無線中継システムにおける再送制御方法。
【請求項４】
前記着目中継局は、
前記新規データに誤りがある場合は、前記過去の送信データに対する受信結果が受信成功であるか受信失敗であるかに関わらず、前記過去の送信データを再送するための第２の割当情報を生成し、
当該第２の割当情報を前記下位の無線中継局又は前記無線端末へ送信する
ことを特徴とする、請求項１〜３のいずれか１項に記載の無線中継システムにおける再送制御方法。
【請求項５】
前記着目中継局は、
前記過去の送信データに対する受信結果が受信失敗である場合に限り、前記第２の割当情報と前記過去の送信データとを前記下位の無線中継局又は前記無線端末へ送信する
ことを特徴とする、請求項４記載の無線中継システムにおける再送制御方法。
【請求項６】
前記着目中継局は、
前記第１の割当情報を基に前記第２の割当情報を生成する過程において、前記第１の割当情報におけるデータ送信の新規あるいは再送を示すフラグ情報を更新して前記第２の割当情報を生成する
ことを特徴とする、請求項１〜５のいずれか１項に記載の無線中継システムにおける再送制御方法。
【請求項７】
前記無線基地局は、
前記過去の送信データに対する受信結果の前記下位の無線基地局又は前記無線端末からの受信を待たずに、新規データを送信するための第１の割当情報と、当該新規データとを送信する
ことを特徴とする、請求項１〜６のいずれか１項に記載の無線中継システムにおける再送制御方法。
【請求項８】
前記無線基地局は、
前記過去の送信データに対する受信結果を受信したときに、当該受信結果が受信失敗であると、前記無線中継局から前記過去の送信データの再送を行なわせるための第１の割当情報を生成し、前記無線中継局へ送信する
ことを特徴とする、請求項７記載の無線中継システムにおける再送制御方法。
【請求項９】
前記無線基地局は、
前記受信結果が受信失敗であると、前記新規データの送信を停止することを特徴とする、請求項８記載の無線中継システムにおける再送制御方法。
【請求項１０】
無線端末から１又は複数の無線中継局を介してデータを無線基地局へ送信する無線中継システムにおける再送制御方法であって、
前記無線基地局又は当該無線基地局よりも前記無線端末に近い側の無線中継局は、
自局よりも下位の無線中継局から前記無線端末に至る経路の無線リンクにおいて前記無線端末からのデータを送信させるための無線リソースの第１の割当情報を前記下位の無線基地局へ送信し、
前記第１の割当情報を受信する無線中継局である着目中継局は、
前記第１の割当情報を基に自局よりも下位の無線中継局又は前記無線端末に送信する第２の割当情報を生成する過程において、前記下位の無線中継局又は前記無線端末から過去に受信したデータの受信結果を確認し、
前記受信結果が受信失敗であると、前記過去に受信したデータの再送を行なわせるための第２の割当情報を生成して前記下位の無線中継局又は前記無線端末へ送信する
ことを特徴とする、無線中継システムにおける再送制御方法。
【請求項１１】
前記着目中継局は、
前記受信結果が受信成功であると、新規データを送信させるための第２の割当情報を生成し送信して前記下位の無線中継局又は前記無線端末へ送信する
ことを特徴とする、請求項１０記載の無線中継システムにおける再送制御方法。
【請求項１２】
前記着目中継局は、
前記受信結果を前記下位の無線中継局又は前記無線基地局に送信する
ことを特徴とする、請求項１０又は１１に記載の無線中継システムにおける再送制御方法。
【請求項１３】
前記着目中継局は、
前記下位の無線中継局又は前記無線端末から新規データを受信した場合に、上位の無線中継局又は前記無線基地局から、前記下位の無線中継局又は前記無線端末から受信した過去のデータの再送を要求されると、前記新規データをバッファするとともに、前記過去のデータを前記上位の無線中継局又は前記無線基地局に送信する
ことを特徴とする、請求項１０〜１３のいずれか１項に記載の無線中継システムにおける再送制御方法。
【請求項１４】
前記着目中継局は、
前記新規データをバッファしている場合において、前記上位の無線中継局又は前記無線基地局から過去のデータの再送を要求されると、前記第１の割当情報を基に前記下位の無線中継局又は前記無線端末に対してバッファしている前記新規データを再送させるための第２の割当情報を生成して前記下位の無線中継局又は前記無線端末に送信する
ことを特徴とする、請求項１３記載の無線中継システムにおける再送制御方法。
【請求項１５】
前記着目中継局は、
前記第１の割当情報を基に前記第２の割当情報を生成する過程において、前記第１の割当情報におけるデータ送信の新規あるいは再送を示すフラグ情報を更新して前記第２の割当情報を生成する
ことを特徴とする、請求項１０〜１４のいずれか１項に記載の無線中継システムにおける再送制御方法。
【請求項１６】
無線基地局から１又は複数の無線中継局を介して無線端末へデータを中継する無線中継システムにおける前記無線中継局であって、
自局から前記無線端末に至る経路の無線リンクにおいて新規データを送信するための無線リソースの第１の割当情報と、前記新規データとを、前記無線基地局又は自局よりも前記無線基地局に近い側の上位の無線中継局から受信しうる受信手段と、
前記新規データと前記過去の送信データとをバッファしうるバッファと、
前記第１の割当情報を基に受信データを自局よりも前記無線端末に近い側の下位の無線中継局又は前記無線端末へ送信するための第２の割当情報を生成する割当情報生成手段と、
過去の送信データに対する、前記下位の無線中継局又は前記無線端末からの受信結果が受信失敗であると、前記第１の割当情報を基に前記過去の送信データを再送するための第２の割当情報を生成するよう前記割当情報生成手段を制御するとともに、前記新規データを前記バッファにバッファさせる制御手段と、
前記第２の割当情報と前記過去の送信データとを前記下位の無線中継局又は前記無線端末に送信する送信手段と、
をそなえたことを特徴とする、無線中継システムにおける無線中継局。
【請求項１７】
無線基地局から１又は複数の無線中継局を介して無線端末へデータを中継する無線中継システムにおける前記無線基地局であって、
自局よりも下位の無線中継局から前記無線端末に至る経路の無線リンクにおいて新規データを送信するための無線リソースの第１の割当情報を生成する割当情報生成手段と、
過去の送信データに対する受信結果の前記下位の無線中継局又は前記無線端末からの受信を待たずに、前記第１の割当情報と前記新規データとを前記前記下位の無線中継局又は前記無線端末へ送信する送信手段と、
をそなえたことを特徴とする、無線中継システムにおける無線基地局。
【請求項１８】
無線端末から１又は複数の無線中継局を介してデータを無線基地局へ送信する無線中継システムにおける前記無線中継局であって、
自局から前記無線端末に至る経路の無線リンクにおいて前記無線端末からのデータを送信させるための無線リソースの第１の割当情報を自局よりも前記無線基地局に近い側の上位の無線基地局又は前記無線基地局から受信する受信手段と、
前記第１の割当情報を基に自局よりも前記無線端末に近い側の下位の無線中継局又は前記無線端末に送信する第２の割当情報を生成する割当情報生成手段と、
前記下位の無線中継局又は前記無線端末から過去に受信したデータの受信結果が受信失敗であると、前記過去に受信したデータの再送を行なわせるための第２の割当情報を生成するよう前記割当情報生成手段を制御する制御手段と、
前記第２の割当情報を前記下位の無線中継局又は前記無線端末へ送信する送信手段と、
をそなえたことを特徴とする、無線中継システムにおける無線中継局。
【請求項１９】
無線基地局から受信した、無線端末宛のデータを前記無線端末に対して送信する無線中継局であって、
前記無線端末宛の第１データ及び前記無線端末へのデータ送信のための無線リソースの第１割当情報を前記無線基地局側から受信する受信部と、
前記第１割当て情報に従って生成した無線リソースの割当情報と、前記第１データとを、前記第１割当情報により割り当てられた無線リソースを用いて前記無線端末に送信する送信部と、
を備え、
前記受信部が、前記無線端末宛の第２データ及び前記無線端末へのデータ送信のための無線リソースの第２割当情報を前記無線基地局側から受信した場合であって、前記第１データの送信が失敗したことを検出した場合に、前記送信部は、前記第２割当情報に従って生成した無線リソースの割当情報と、前記第１データとを、前記第２割当情報により割り当てられた無線リソースを用いて前記無線端末に送信することで、前記第１データの再送信を実行する、
ことを特徴とする、無線中継局。
【請求項２０】
無線端末から１又は複数の無線中継局を介してデータを無線基地局へ送信する無線中継システムにおける前記無線基地局であって、
自局から前記無線端末に至る経路の無線リンクにおいて前記無線端末からのデータを送信させるための無線リソースの第１の割当情報を生成する割当情報生成手段と、
下位の無線中継局又は前記無線端末からのデータ受信の有無に関わらず、前記第１の割当情報を前記下位の無線中継局又は前記無線端末に送信する送信手段と、
をそなえたことを特徴とする、無線中継システムにおける無線基地局。
【発明の詳細な説明】
【技術分野】
【０００１】
本発明は、無線中継システムにおける再送制御方法並びに無線中継局及び無線基地局に関する。
【背景技術】
【０００２】
IEEE802.16 WG（Working Group）では、無線基地局（ＢＳ：Base Station）に複数の無線端末（ＭＳ：Mobile Station）が接続可能なPoint-to-Multipoint（Ｐ−ＭＰ）型通信方式を規定している。IEEE802.16 WG（ワーキンググループ）では、主に固定通信用途向けのIEEE802.16d仕様（802.16-2004）と移動通信用途向けのIEEE802.16e仕様（IEEE802.16e-2005）の２種類を規定している（後記非特許文献１，２参照）。これらの仕様では、複数の物理層が規定されているが、直交周波数分割多重（ＯＦＤＭやＯＦＤＭＡなど）の技術が主に使用される。【０００３】
図１９に、IEEE802.16d/e準拠のサービスイメージ（無線通信システム構成例）を示す。この図１９に示すように、IEE E802.16d/e準拠のシステムでは、１台のＢＳに複数のＭＳが接続するポイントツーマルチポイント（Ｐ−ＭＰ）型接続を基本とする。【０００４】
しかしながら、このようなＢＳとＭＳとがＰ−ＭＰで接続するサービス形態では、サービスエリアがＢＳのカバーエリア（セル）に制限され、セルエッジでは通信レートが低くなる。【０００５】
そこで、IEEE802.16 WGでは、ＢＳとＭＳとの間の通信を中継する無線中継局（Relay Station：ＲＳ）の検討を行なうタスクグループ（IEEE802.16j）を立ち上げ、検討を開始している。図２０に、ＲＳを導入した場合のシステム構成例を示す。この図２０に示すように、ＢＳがカバーできないエリアに存在するＭＳとの通信を、ＲＳを介して行なうことにより、ＢＳのサービスエリアを拡大することが可能である。【０００６】
一方、後記特許文献１に記載された技術では、ＲＳを介した中継システムにおいて、ＢＳがＲＳとＭＳとの間の通信のスケジューリングを決定する。ＲＳは、ＢＳからＲＳとＭＳとの間についてのスケジューリング情報〔無線フレームの構成に関する情報や無線リソースの割当情報（ＯＦＤＭ方式やＯＦＤＭＡ方式におけるDL/UL MAP）などが含まれる〕を受信し、そのスケジューリング情報に基づいて、ＲＳとＭＳとの間の通信制御を実行する。この場合、スケジューリング処理をＢＳが集中的に実行するため、ＲＳは簡易な構成にすることができる。
【特許文献１】特開２００６−７４３２５号公報
【非特許文献１】IEEE Std 802.16(TM)-2004
【非特許文献２】IEEE Std 802.16e(TM)-2005
【非特許文献３】Eugene Visotsky, et al.，“P roposal for Centralized HARQ Retransmission Scheduling”，IEEE C80216j-07_226，2007-03-05
【発明の開示】
【発明が解決しようとする課題】
【０００７】
前記特許文献１が示すように、ＢＳがＲＳとの間の通信やＲＳとＭＳとの間の通信のスケジューリングを全て行なう場合、ＲＳは、他のＲＳとの間およびＲＳとＭＳとの間の通信状況や無線状況などの情報をＢＳに逐次報告する必要がある。そして、ＢＳは、ＲＳから送信されてくる情報を基に、ＲＳ間およびＲＳとＭＳとの間のスケジューリングを行ない、それらのリンクに対するスケジューリング情報を生成する。【０００８】
ところで、無線通信において、データ伝送の信頼性を上げるために、ＨＡＲＱ（Hybrid Automatic Repeat reQuest）と呼ばれる技術が提案されている。ＨＡＲＱは、データが誤った場合のデータの再送に加え、データの誤り訂正を組み合わせた技術である。受信局は、ＨＡＲＱデータを受信したときに誤り訂正用の冗長ビットを用いて誤り訂正を行なう。誤りが訂正できなかった場合は、そのＨＡＲＱデータをメモリに蓄積し、送信局からの再送を要請する。そして、再送されてくるデータとメモリに蓄積されているデータとを信号レベルで最大比合成を行ない、再度誤り訂正を行なうことにより、誤り訂正の効率を上げる。この技術により、効率的にデータ伝送の信頼性を上げることが可能である。【０００９】
ここで、ＨＡＲＱを図２０に示すようなＲＳを導入したシステムに適用する場合、ＨＡＲＱデータの中継を行なっている途中でＨＡＲＱデータに誤りが発生し、訂正できない場合、そのときに送信したＲＳ、つまりＨＡＲＱデータを正常に保持しているＲＳからＨＡＲＱデータの再送を行なう方が、無線リソースを有効利用することができる。【００１０】
しかしながら、ＢＳがＲＳを介した通信区間の全リンクのスケジューリング情報を集中的に管理、生成することを前提とするシステムにおいては、前述のＲＳからＨＡＲＱデータの再送を行なうためには、ＨＡＲＱデータに誤りが発生したリンクの情報をＢＳに通知し、ＢＳは当該通知を受けてから、ＨＡＲＱデータの再送のためのスケジューリング情報を生成することになる。【００１１】
例えば図２１に、２ホップシステムのダウンリンク（ＤＬ）のデータ伝送において、ＲＳとＭＳとの間でＨＡＲＱデータの誤りが発生し、ＲＳからＭＳにＨＡＲＱデータの再送を行なう場合の例を示す。なお、ＢＳからＲＳを介したＭＳへの方向がダウンリンクであり、その逆方向がアップリンク（ＵＬ）である。【００１２】
ＢＳは、DL/UL MAPと、ＲＳとＭＳとの間の無線リンク（ＲＳ−ＭＳ間ＤＬ）についてのスケジューリング（ＳＣＨ）情報とをＲＳ宛に送信するとともに（ステップＡ１０１，Ａ１０２）、ＨＡＲＱデータ＃１を当該ＲＳ宛に送信する（ステップＡ１０３）。【００１３】
ここで、前記スケジューリング情報には、送信データ（ＨＡＲＱデータ）の中継に関する情報、即ち、ＲＳとＭＳとの間の無線リンク（無線フレーム）においてＲＳ及びＭＳが通信に用いるべき領域（バーストと呼ばれる無線リソース）の割当情報、より詳細には、ＲＳが当該ＨＡＲＱデータをＭＳへ送信するのに用いるべきＤＬバースト、当該ＨＡＲＱデータ＃１を受信したＭＳがその受信結果（受信成功を示すＡＣＫ及び受信失敗を示すＮＡＫ）をＲＳへ送信（返信）するのに用いるべきＵＬバーストの割当情報が含まれる。【００１４】
また、前記DL/UL MAPには、ＢＳとＲＳとの間の無線リンク（ＢＳ−ＲＳ間ＤＬ）においてスケジューリング情報及びＨＡＲＱデータをそれぞれどの領域（ＤＬバースト）にてＲＳに送信するかを示す情報や、ＨＡＲＱデータのＲＳでの受信結果（受信成功を示すＡＣＫ及び受信失敗を示すＮＡＫ）をどの領域（ＵＬ ACK Channel領域）にてＢＳへ送信（返信）すべきかを示す情報が含まれる。なお、ＭＳおよびＲＳからのＡＣＫ／ＮＡＫは、UL ACK Channel Regionと呼ばれる特別な領域にて送信される。【００１５】
したがって、ＲＳは、ＢＳから受信したDL/UL MAPが示すＤＬバーストを受信処理することにより、ＢＳからのスケジューリング情報及びＨＡＲＱデータを受信することができ、また、ＭＳから受信したＨＡＲＱデータの受信結果を当該DL/UL MAPが示すＵＬ ACK Channel領域にてＢＳへ送信することができ、さらには、受信したスケジューリング情報に基づいてＭＳとの間の通信（バースト割当）を制御することができるようになる。【００１６】
さて、ＲＳは、前記のようにＢＳから受信したスケジューリング情報を基にＲＳ−ＭＳ間についてのDL/UL MAP（ＨＡＲＱデータ＃１をどのＤＬバーストにてＭＳへ送信するかを示す情報、ＨＡＲＱデータ＃１の受信結果をＭＳがどのＵＬ ACK Channel領域にて送信すべきかを示す情報）を生成してＭＳ宛へ送信するとともに、ＢＳから受信したＨＡＲＱデータ＃１を当該DL/UL MAPが示すＤＬバーストにてＭＳに送信する（ステップＡ１０４，Ａ１０５）。また、ＲＳは、ＢＳからのＨＡＲＱデータ＃１を正常に受信（デコード）できたこと（受信成功）を示す情報（ＡＣＫ）を、ＢＳから受信した前記DL/UL MAPが示すＵＬ ACK Channel領域にて、ＢＳに送信する（ステップＡ１０７）。【００１７】
そして、ＭＳでは、ＲＳからの前記DL/UL MAPが示すＤＬバーストを受信処理することにより、ＨＡＲＱデータ＃１を受信するが、当該ＨＡＲＱデータ＃１に誤りが発生して正常に受信（デコード）できなかった場合（ステップＡ１０６）、ＭＳは、その旨（受信失敗）を示す情報（ＮＡＫ）を、ＲＳから受信した前記DL/UL MAPが示すＵＬ ACK Channel領域にて、ＢＳに送信する（ステップＡ１０８）。【００１８】
このＮＡＫはＲＳを介してＢＳへ中継され（ステップＡ１０９）、当該ＮＡＫを受信したＢＳは、ＲＳからＨＡＲＱデータ＃１を再送させるためのDL/UL MAP及びスケジューリング情報を生成してＲＳに送信する（ステップＡ１１０，Ａ１１１）。【００１９】
ＲＳは、ＢＳから前記ＨＡＲＱデータ＃１の再送のためのDL/UL MAPを受信して当該DL/UL MAPが示すＤＬバースト（スケジューリング情報）を受信すると、その受信スケジューリング情報を基にＲＳ−ＭＳ間についてのDL/UL MAPを生成してＭＳに送信するとともに、ＨＡＲＱデータ＃１を再送する（ステップＡ１１２，Ａ１１３）。【００２０】
一方、図２２に、２ホップシステムのＵＬのデータ伝送において、ＭＳとＲＳとの間でＨＡＲＱデータに誤りが発生し、ＭＳからＨＡＲＱデータの再送を行なう場合の例を示す。【００２１】
ＢＳは、DL/UL MAPと、ＭＳからの送信データ（ＨＡＲＱデータ）＃１をＲＳにて中継するための情報として、ＲＳとＭＳとの間の無線リンクについてのスケジューリング（ＳＣＨ）情報とをＲＳ宛に送信する（ステップＢ１２１，Ｂ１２２）。【００２２】
ここで、当該スケジューリング情報には、ＭＳからの送信データ（ＨＡＲＱデータ）の中継に関する情報、即ち、ＲＳとＭＳとの間の無線リンク（無線フレーム）においてＲＳ及びＭＳが通信に用いるべきバーストの割当情報、より詳細には、ＭＳがＨＡＲＱデータをＲＳへ送信するのに用いるべきＵＬバーストの割当情報が含まれる。また、DL/UL MAPには、ＢＳとＲＳとの間の無線リンクにおいて当該スケジューリング情報をどの領域（ＤＬバースト）にて送信するかを示す情報が含まれる。【００２３】
したがって、ＲＳは、当該DL/UL MAPが示すＤＬバーストを受信処理することにより、前記スケジューリング情報を受信することができ、また、そのスケジューリング情報に基づいてＭＳとの間の通信（バースト割当）を制御することができるようになる。
即ち、ＲＳは、このようにＢＳから受信したスケジューリング情報を基にＲＳ−ＭＳ間についてのDL/UL MAP（ＭＳはＨＡＲＱデータ＃１をどのＵＬバーストを用いて送信すべきかを示す情報）を生成してＭＳ宛へ送信する（ステップＢ１２３）。【００２４】
ＭＳは、ＲＳから当該DL/UL MAPを受信すると、そのDL/UL MAPが示すＵＬバーストにてＨＡＲＱデータ＃１をＢＳ宛に送信する（ステップＢ１２５）。【００２５】
ＲＳは、ＭＳからＨＡＲＱデータ＃１を正常受信すれば、ＢＳに対してＨＡＲＱデータ＃１の受信成功（ＡＣＫ）を通知するが、ＨＡＲＱデータ＃１に誤りが生じて正常受信できなければ（ステップＢ１２６）、ＢＳに対してＭＳからのＨＡＲＱデータ＃１の受信失敗（ＮＡＫ）を通知する（ステップＢ１２８）。【００２６】
なお、この間、ＢＳは、ＲＳがＭＳから受信したＨＡＲＱデータ＃１をＢＳへ中継（送信）するための領域（ＵＬバースト）をDL/UL MAPにより割り当てるが（ステップＢ１２４，Ｂ１２７）、ＲＳはＭＳからのＨＡＲＱデータ＃１を正常に受信していないため、当該領域にてＨＡＲＱデータ＃１を受信することはない。【００２７】
ＢＳは、ＲＳから前記ＮＡＫを受信すると、ＭＳからのＨＡＲＱデータ＃１の再送のためのスケジューリング情報を生成するとともに、当該スケジューリング情報をＢＳ−ＲＳ間ＤＬのどのＤＬバーストにて送信するかを示す情報（DL/UL MAP）を生成してＲＳ宛に送信する（ステップＢ１２９，Ｂ１３０）。【００２８】
ＲＳは、ＢＳから受信したDL/UL MAPが示すＤＬバーストを受信処理してスケジューリング情報を取得すると、当該スケジューリング情報を基にＲＳ−ＭＳ間ＵＬについてのDL/UL MAPを生成してＭＳ宛に送信することにより（ステップＢ１３１）、ＭＳにＨＡＲＱデータ＃１の再送を要求する。そして、ＭＳは、当該再送要求（DL/UL MAP）を受信すると、そのDL/UL MAPが示すＵＬバーストにてＨＡＲＱデータ＃１の再送を行なう（ステップＢ１３２）。【００２９】
以上のように、従来技術においては、ＤＬにおいてＲＳがＭＳにＨＡＲＱデータの再送を行なう状況や、ＵＬにおいてＭＳがＲＳにＨＡＲＱデータの再送を行なう状況において、ＲＳとＭＳとの間のＨＡＲＱデータの送信結果を一旦ＢＳに通知し、ＢＳがこの通知を受けてからスケジューリング情報を生成してＲＳに通知することで、ＨＡＲＱデータの再送を行なわせるため、ＨＡＲＱデータの受信失敗が発生してからそのＨＡＲＱデータの再送までに長時間を要し、ＢＳとＭＳとの間のデータ伝送に大きな遅延が発生してしまうという課題がある。当該遅延は、ＢＳとＭＳとの間の通信を中継するＲＳ数が増えるほど当然に増加することになる。【００３０】
なお、前記非特許文献３では、ＢＳが、ＲＳおよびＭＳからの再送が要求される場合において、即時の再送が可能なように、再送の帯域を予め割り当てることが記述されているが、ＢＳおよびＲＳにおける具体的な処理方法については記述されていない。【００３１】
本発明は、前記課題に鑑み創案されたもので、その目的の一つは、ＢＳとＭＳとの間の通信を１又は複数のＲＳが中継する無線中継システムにおける再送処理の遅延を抑制できるようにすることにある。【００３２】
なお、前記目的に限らず、後述する発明を実施するための最良の形態に示す各構成により導かれる作用効果であって、従来の技術によっては得られない作用効果を奏することも本発明の他の目的の一つとして位置付けることができる。
【課題を解決するための手段】
【００３３】
前記目的を達成するために、本発明では、以下に示す無線中継システムにおける再送制御方法並びに無線中継局及び無線基地局を用いることを要旨としている。即ち、
（１）本発明の無線中継システムにおける再送制御方法は、無線基地局から１又は複数の無線中継局を介して無線端末へデータを中継する無線中継システムにおける再送制御方法であって、前記無線基地局又は当該無線基地局よりも前記無線端末に近い側の無線中継局は、自局よりも下位の無線中継局から前記無線端末に至る経路の無線リンクにおいて新規データを送信するための無線リソースの第１の割当情報と、前記新規データとを送信し、前記第１の割当情報と前記新規データとを受信する無線中継局である着目中継局は、前記第１の割当情報を基に受信データを前記下位の無線中継局又は前記無線端末へ送信するための第２の割当情報を生成する過程において、過去の送信データに対する前記下位の無線中継局又は前記無線端末からの受信結果を確認し、前記受信結果が受信失敗であると、前記第１の割当情報を基に前記過去の送信データを再送するための第２の割当情報を生成し、当該第２の割当情報と前記過去の送信データとを前記下位の無線中継局又は前記無線端末へ送信するとともに、前記新規データをバッファすることを要旨としている。【００３４】
（２）ここで、前記着目中継局は、前記受信結果が受信成功であると、前記第１の割当情報を基に前記新規データを前記下位の無線中継局又は前記無線端末へ送信するための第２の割当情報を生成し、当該第２の割当情報と前記新規データとを前記下位の無線中継局又は前記無線端末へ送信してもよい。【００３５】
（３）また、前記着目中継局は、前記新規データをバッファしている場合において、新たに前記第１の割当情報を受信すると、当該第１の割当情報を基に前記第２の割当情報を生成する過程において、過去の送信データに対する前記下位の無線中継局又は前記無線端末からの受信結果を確認し、前記受信結果が受信成功であると、前記バッファしている新規データを送信するための第２の割当情報を生成し、当該第２の割当情報と前記バッファしている新規データとを前記下位の無線中継局又は前記無線端末へ送信してもよい。【００３６】
（４）さらに、前記着目中継局は、前記新規データに誤りがある場合は、前記過去の送信データに対する受信結果が受信成功であるか受信失敗であるかに関わらず、前記過去の送信データを再送するための第２の割当情報を生成し、当該第２の割当情報を前記下位の無線中継局又は前記無線端末へ送信してもよい。【００３７】
（５）また、前記着目中継局は、前記過去の送信データに対する受信結果が受信失敗である場合に限り、前記第２の割当情報と前記過去の送信データとを前記下位の無線中継局又は前記無線端末へ送信してもよい。【００３８】
（６）さらに、前記着目中継局は、前記第１の割当情報を基に前記第２の割当情報を生成する過程において、前記第１の割当情報におけるデータ送信の新規あるいは再送を示すフラグ情報を更新して前記第２の割当情報を生成してもよい。【００３９】
（７）また、前記無線基地局は、前記過去の送信データに対する受信結果の前記下位の無線基地局又は前記無線端末からの受信を待たずに、新規データを送信するための第１の割当情報と、当該新規データとを送信してもよい。【００４０】
（８）さらに、前記無線基地局は、前記過去の送信データに対する受信結果を受信したときに、当該受信結果が受信失敗であると、前記無線中継局から前記過去の送信データの再送を行なわせるための第１の割当情報を生成し、前記無線中継局へ送信してもよい。【００４１】
（９）また、前記無線基地局は、前記受信結果が受信失敗であると、前記新規データの送信を停止してもよい。【００４２】
（１０）さらに、本発明の無線中継システムにおける再送制御方法は、無線端末から１又は複数の無線中継局を介してデータを無線基地局へ送信する無線中継システムにおける再送制御方法であって、前記無線基地局又は当該無線基地局よりも前記無線端末に近い側の無線中継局は、自局よりも下位の無線中継局から前記無線端末に至る経路の無線リンクにおいて前記無線端末からのデータを送信させるための無線リソースの第１の割当情報を前記下位の無線基地局へ送信し、前記第１の割当情報を受信する無線中継局である着目中継局は、前記第１の割当情報を基に自局よりも下位の無線中継局又は前記無線端末に送信する第２の割当情報を生成する過程において、前記下位の無線中継局又は前記無線端末から過去に受信したデータの受信結果を確認し、前記受信結果が受信失敗であると、前記過去に受信したデータの再送を行なわせるための第２の割当情報を生成して前記下位の無線中継局又は前記無線端末へ送信することを要旨としている。【００４３】
（１１）ここで、前記着目中継局は、前記受信結果が受信成功であると、新規データを送信させるための第２の割当情報を生成し送信して前記下位の無線中継局又は前記無線端末へ送信してもよい。【００４４】
（１２）また、前記着目中継局は、前記受信結果を前記下位の無線中継局又は前記無線基地局に送信してもよい。【００４５】
（１３）さらに、前記着目中継局は、前記下位の無線中継局又は前記無線端末から新規データを受信した場合に、上位の無線中継局又は前記無線基地局から、前記下位の無線中継局又は前記無線端末から受信した過去のデータの再送を要求されると、前記新規データをバッファするとともに、前記過去のデータを前記上位の無線中継局又は前記無線基地局に送信してもよい。【００４６】
（１４）また、前記着目中継局は、前記新規データをバッファしている場合において、前記上位の無線中継局又は前記無線基地局から過去のデータの再送を要求されると、前記第１の割当情報を基に前記下位の無線中継局又は前記無線端末に対してバッファしている前記新規データを再送させるための第２の割当情報を生成して前記下位の無線中継局又は前記無線端末に送信してもよい。【００４７】
（１５）さらに、前記着目中継局は、前記第１の割当情報を基に前記第２の割当情報を生成する過程において、前記第１の割当情報におけるデータ送信の新規あるいは再送を示すフラグ情報を更新して前記第２の割当情報を生成してもよい。【００４８】
（１６）また、本発明の無線中継システムにおける無線中継局は、無線基地局から１又は複数の無線中継局を介して無線端末へデータを中継する無線中継システムにおける前記無線中継局であって、自局から前記無線端末に至る経路の無線リンクにおいて新規データを送信するための無線リソースの第１の割当情報と、前記新規データとを、前記無線基地局又は自局よりも前記無線基地局に近い側の上位の無線中継局から受信しうる受信手段と、前記新規データと前記過去の送信データとをバッファしうるバッファと、前記第１の割当情報を基に受信データを自局よりも前記無線端末に近い側の下位の無線中継局又は前記無線端末へ送信するための第２の割当情報を生成する割当情報生成手段と、過去の送信データに対する、前記下位の無線中継局又は前記無線端末からの受信結果が受信失敗であると、前記第１の割当情報を基に前記過去の送信データを再送するための第２の割当情報を生成するよう前記割当情報生成手段を制御するとともに、前記新規データを前記バッファにバッファさせる制御手段と、前記第２の割当情報と前記過去の送信データとを前記下位の無線中継局又は前記無線端末に送信する送信手段と、をそなえたことを要旨としている。【００４９】
（１７）さらに、本発明の無線中継システムにおける無線基地局は、無線基地局から１又は複数の無線中継局を介して無線端末へデータを中継する無線中継システムにおける前記無線基地局であって、自局よりも下位の無線中継局から前記無線端末に至る経路の無線リンクにおいて新規データを送信するための無線リソースの第１の割当情報を生成する割当情報生成手段と、過去の送信データに対する受信結果の前記下位の無線中継局又は前記無線端末からの受信を待たずに、前記第１の割当情報と前記新規データとを前記前記下位の無線中継局又は前記無線端末へ送信する送信手段と、をそなえたことを要旨としている。【００５０】
（１８）また、本発明の無線中継システムにおける無線中継局は、無線端末から１又は複数の無線中継局を介してデータを無線基地局へ送信する無線中継システムにおける前記無線中継局であって、自局から前記無線端末に至る経路の無線リンクにおいて前記無線端末からのデータを送信させるための無線リソースの第１の割当情報を自局よりも前記無線基地局に近い側の上位の無線基地局又は前記無線基地局から受信する受信手段と、前記第１の割当情報を基に自局よりも前記無線端末に近い側の下位の無線中継局又は前記無線端末に送信する第２の割当情報を生成する割当情報生成手段と、前記下位の無線中継局又は前記無線端末から過去に受信したデータの受信結果が受信失敗であると、前記過去に受信したデータの再送を行なわせるための第２の割当情報を生成するよう前記割当情報生成手段を制御する制御手段と、前記第２の割当情報を前記下位の無線中継局又は前記無線端末へ送信する送信手段と、をそなえたことを要旨としている。【００５１】
（１９）さらに、本発明の無線中継局は、無線基地局から受信した、無線端末宛のデータを前記無線端末に対して送信する無線中継局であって、前記無線端末宛の第１データ及び前記無線端末へのデータ送信のための無線リソースの第１割当情報を前記無線基地局側から受信する受信部と、前記第１割当て情報に従って生成した無線リソースの割当情報と、前記第１データとを、前記第１割当情報により割り当てられた無線リソースを用いて前記無線端末に送信する送信部と、を備え、前記受信部が、前記無線端末宛の第２データ及び前記無線端末へのデータ送信のための無線リソースの第２割当情報を前記無線基地局側から受信した場合であって、前記第１データの送信が失敗したことを検出した場合に、前記送信部は、前記第２割当情報に従って生成した無線リソースの割当情報と、前記第１データとを、前記第２割当情報により割り当てられた無線リソースを用いて前記無線端末に送信することで、前記第１データの再送信を実行する、ことを要旨としている。【００５２】
（２０）また、本発明の無線中継システムにおける無線基地局は、無線端末から１又は複数の無線中継局を介してデータを無線基地局へ送信する無線中継システムにおける前記無線基地局であって、自局から前記無線端末に至る経路の無線リンクにおいて前記無線端末からのデータを送信させるための無線リソースの第１の割当情報を生成する割当情報生成手段と、下位の無線中継局又は前記無線端末からのデータ受信の有無に関わらず、前記第１の割当情報を前記下位の無線中継局又は前記無線端末に送信する送信手段と、をそなえたことを要旨としている。
【発明の効果】
【００５３】
前記本発明によれば、少なくとも以下に示すいずれかの効果ないし利点が得られる。
（１）無線基地局（ＢＳ）は、下位の無線中継局（ＲＳ）あるいは無線端末（ＭＳ）からのデータの受信結果を待たずに、新規データを送信することで、無線端末に対して連続したデータ送信を行なうことができる。【００５４】
（２）また、ＢＳからＭＳへの方向（ダウンリンク）の経路において、データに誤りが発生した場合でも、ＲＳが、ＢＳから受信する新規データの送信（中継）のための無線リソースの割当情報（第１の割当情報）を基に、過去に送信したデータの再送を行なうための無線リソースの割当情報（第２の割当情報）を生成して過去のデータを再送することができるので、ＲＳあるいはＭＳから要求されているデータの再送に対して、即時に対応することが可能となる。したがって、ＢＳとＭＳとの間のＲＳ数によらず再送処理の遅延を抑制することが可能となる。【００５５】
（３）一方、ＵＬにおいては、ＢＳは、ＲＳ及びＭＳからのデータ受信の有無によらずに、ＲＳに対してデータ送信のための無線リソースの割当情報（第１の割当情報）を送信するので、ＲＳは、配下のＲＳあるいはＭＳからのデータ受信結果を基にデータの再送あるいは新規データの送信を要求することで、連続したデータ中継が可能となる。
【図面の簡単な説明】
【００５６】
【図１】本発明の第１実施形態に係る無線中継システムの構成を示すブロック図である。
【図２】図１に示す無線基地局（ＢＳ）の要部に着目した構成を示す機能ブロック図である。
【図３】図１に示す無線中継局（ＲＳ）の要部に着目した構成を示す機能ブロック図である。
【図４】図２に示すＢＳにおけるダウンリンク（ＤＬ）処理を説明すべく状態管理テーブルの一例を示す図である。
【図５】図３に示すＲＳにおけるダウンリンク（ＤＬ）処理を説明すべく状態管理テーブルの一例を示す図である。
【図６】図３に示すＲＳのＤＬ処理におけるフラグ情報（AI_SN）の更新を説明すべくDL/UL MAPのフォーマットを示す図である。
【図７】図１に示す無線中継システムにおけるＤＬの再送処理（２ホップシステムの場合）を説明するシーケンス図である。
【図８】図２に示すＢＳにおけるアップリンク（ＵＬ）処理を説明すべく状態管理テーブルの一例を示す図である。
【図９】図３に示すＲＳにおけるＵＬ処理を説明すべく状態管理テーブルの一例を示す図である。
【図１０】図３に示すＲＳのＤＬ処理におけるフラグ情報（AI_SN）の更新を説明すべくDL/UL MAPのフォーマットを示す図である。
【図１１】図１に示す無線中継システムにおけるＵＬの再送処理（２ホップシステムの場合）を説明するシーケンス図である。
【図１２】図１に示す無線中継システムにおけるＵＬの再送処理（２ホップシステムの場合）を説明するシーケンス図である。
【図１３】図２に示すＢＳにおけるＤＬ処理（３ホップシステムの場合）を説明すべく状態管理テーブルの一例を示す図である。
【図１４】図３に示すＲＳにおけるＤＬ処理（３ホップシステムの場合）を説明すべく状態管理テーブルの一例を示す図である。
【図１５】図１に示す無線中継システムにおけるＤＬの再送処理（３ホップシステムの場合）を説明するシーケンス図である。
【図１６】図２に示すＢＳにおけるＵＬ処理（３ホップシステムの場合）を説明すべく状態管理テーブルの一例を示す図である。
【図１７】図３に示すＲＳにおけるＵＬ処理（３ホップシステムの場合）を説明すべく状態管理テーブルの一例を示す図である。
【図１８】図１に示す無線中継システムにおけるＵＬの再送処理（３ホップシステムの場合）を説明するシーケンス図である。
【図１９】IEEE802.16d/e準拠の無線通信システム構成例を示す図である。
【図２０】図１９に示すシステムに無線中継局（ＲＳ）を導入した構成例を示す図である。
【図２１】図２０に示すシステムにおけるＤＬの再送処理を説明するシーケンス図である。
【図２２】図２０に示すシステムにおけるＵＬの再送処理を説明するシーケンス図である。
【符号の説明】
【００５７】
１  無線基地局（ＢＳ：Base Station）
１０  受信アンテナ
１１  受信部
１１１  無線（ＲＦ）受信機（Ｒｘ）
１１２  信号処理部
１２  送信部
１２１  信号処理部
１２２  ＲＦ送信機（Ｔｘ）
１３  送信アンテナ
１４  ＨＡＲＱバッファ
１５  ＢＳ制御部
１５１  スケジューリング（ＳＣＨ）情報生成部
１５２  DL/UL MAP生成部
１５３  ＢＳ状態管理部
２（２−１，２−２）  無線中継局（ＲＳ：Relay Station）
２０  受信アンテナ
２１  受信部
２１１  ＲＦ受信機（Ｒｘ）
２１２  信号処理部
２２  送信部
２２１  信号処理部
２２２  ＲＦ送信機（Ｔｘ）
２３  送信アンテナ
２４  ＨＡＲＱバッファ
２５  ＲＳ制御部
２５１  スケジューリング（ＳＣＨ）情報生成部
２５２  DL/UL MAP生成部
２５３  ＲＳ状態管理部
２５４  受信結果（応答：ＡＣＫ／ＮＡＫ）生成部
３（３−１，３−２，３−３）  無線端末（ＭＳ：Mobile Station）
【発明を実施するための最良の形態】
【００５８】
以下、図面を参照して本発明の実施の形態を説明する。ただし、以下に示す実施形態は、あくまでも本発明の要旨の理解を助けるための例示に過ぎず、以下に示す実施形態で明示しない種々の変形や技術の適用を排除する意図はない。即ち、各実施形態の変形（実施例を組み合わせる等）を行なうこともできる。【００５９】
〔Ａ〕第１実施形態の説明
図１は本発明の第１実施形態に係る無線中継システムの構成を示すブロック図で、この図１に示すシステムは、無線基地局（ＢＳ）１と、複数（ここでは２台）の無線中継局（ＲＳ）２〔２−１（＃１），２−２（＃２）〕と、複数（ここでは３台）の無線端末（ＭＳ）３〔３−１（＃１），３−２（＃２），３−３（＃３）〕とをそなえて構成され、ＭＳ３は、ＢＳ１と直接あるいは１又は複数のＲＳ２を介して通信することができるようになっている。即ち、この図１においては、ＭＳ３−１はＢＳ１と直接通信でき、ＢＳ１のサービスエリア（無線エリア）の境界近傍に位置するＭＳ３−２はＲＳ２−１を介してＢＳ１と通信でき、ＢＳ１のサービスエリア外に位置するＭＳ３−３はＲＳ２−１及び２−２を介してＢＳ１と通信（マルチホップ接続）できる様子が示されている。【００６０】
また、当該無線中継システムは、ＷｉＭＡＸ規格準拠の無線フレーム、即ち、ＯＦＤＭあるいはＯＦＤＭＡのフレームにより、ＢＳ１とＭＳ３との間、ＢＳ１とＲＳ２との間、ＲＳ２間、ＲＳ２とＭＳ３との間の通信がそれぞれ行なわれることを前提とし、これらすべての区間の無線リンク（ＢＳ−ＭＳリンク、ＢＳ−ＲＳリンク、ＲＳ−ＲＳリンク、ＲＳ−ＭＳリンク）における通信をＢＳ１が集中的に管理、制御するようになっている。【００６１】
即ち、ＢＳ１は、前記の各無線リンクに無線リソース（バーストと呼ばれる前記無線フレームの通信領域）を割り当てるためのスケジューリング情報を一括管理（生成）し、対象のＲＳ２に必要なスケジューリング情報を送信することで、対象無線リンクにおける通信を制御するようになっている。【００６２】
（ＢＳ構成）
図２は前記ＢＳ１の要部に着目した構成を示す機能ブロック図で、この図２に示すＢＳ１は、例えば、受信アンテナ１０、受信部１１、送信部１２、送信アンテナ１３、ＨＡＲＱバッファ１４及びＢＳ制御部１５をそなえて構成されている。【００６３】
ここで、受信アンテナ１０は、ＲＳ２又はＭＳ３からのＲＦ信号（メッセージやデータなど）を受信するものであり、受信部１１は、この受信アンテナ１０で受信されたＲＦ信号について所要の受信処理を施すものである。このため、当該受信部１１は、例えば、無線（ＲＦ）受信機（Ｒｘ）１１１と信号処理部１１２とをそなえて構成され、ＲＦ受信機１１１は、受信アンテナ１０で受信されたＲＦ信号について、ベースバンド周波数への周波数変換（ダウンコンバート）やディジタル信号処理のためのディジタル信号へのＡＤ（Analog to Digital）変換などを含む所要の無線受信処理を施すものであり、信号処理部１１２は、このＲＦ受信機１１１により得られたベースバンドディジタル信号について、少なくとも復調処理や復号処理を含む所要のディジタル信号処理を施すものである。【００６４】
また、送信部１２は、ＭＳ３宛のダウンリンク（ＤＬ）の送信信号を生成するもので、例えば、信号処理部１２１と無線（ＲＦ）送信機（Ｔｘ）１２２とをそなえて構成され、信号処理部１２１は、ＭＳ３へ送信すべき信号（メッセージやデータなど）の符号化（畳込み符号やターボ符号等の誤り訂正符号化）処理、所定フォーマットの送信フレーム（ＯＦＤＭフレームやＯＦＤＭＡフレーム）の生成処理、ＱＰＳＫや１６ＱＡＭ等による変調処理などを含む所要のディジタル信号処理を行なうものであり、ＲＦ送信機１２２は、この信号処理部１２１により得られた送信信号（ディジタルベースバンド信号）について、アナログ信号へのＤＡ（Digital to Analog）変換や送信ＲＦ信号への周波数変換（アップコンバート）などを含む所要の無線送信処理を施すものである。【００６５】
送信アンテナ１３は、この送信部１２にて得られた送信信号をＲＳ２又はＭＳ３に向けて空間に放射するものである。【００６６】
ＨＡＲＱバッファ１４は、ＭＳ３宛に送信したデータを後の再送に備えて、逐次、一時的にバッファしておくものであり、ＢＳ制御部１５は、前述したように、ＢＳ１とＭＳ３との間、ＢＳ１とＲＳ２との間、ＲＳ２間、ＲＳ２とＭＳ３との間の各無線リンクにおける通信を集中的に制御する機能を具備するもので、例えば、スケジューリング（ＳＣＨ）情報生成部１５１と、DL/UL MAP生成部１５２と、ＢＳ状態管理部１５３とをそなえて構成される。【００６７】
ここで、スケジューリング情報生成部１５１は、ＢＳ１からＭＳ３に至る各無線リンクにおけるスケジューリング情報を生成することができるものであり、DL/UL MAP生成部１５２は、次ホップ先ノードであるＲＳ２又はＭＳ３との間の無線リンクにおけるバースト割当情報を含むDL/UL MAPを生成することができるものである。【００６８】
ＢＳ状態管理部１５３は、ＤＬについては図４に示すような状態管理テーブルにより４つの状態Ｓ０，Ｓ１，Ｓ２，Ｓ３を管理し、ＵＬについては図８に示すような状態管理テーブルにより３つの状態Ｓ０，Ｓ１，Ｓ２を管理するもので、ＢＳ制御部１５は、当該状態に応じたＤＬ及びＵＬについての処理を実行するようになっている。なお、その詳細については後述する。【００６９】
（ＲＳ構成）
一方、前記ＲＳ２は、その要部の機能に着目すると、例えば図３に示すように、受信アンテナ２０、受信部２１、送信部２２、送信アンテナ２３、ＨＡＲＱバッファ２４及びＲＳ制御部２５をそなえて構成される。【００７０】
ここで、受信アンテナ２０は、ＢＳ１又はＭＳ３若しくは他のＲＳ２からのＲＦ信号を受信するものであり、受信部２１は、この受信アンテナ２０で受信されたＲＦ信号について所要の受信処理を施すものである。【００７１】
このため、当該受信部２１は、例えば、ＲＦ受信機（Ｒｘ）２１１と信号処理部２１２とをそなえて構成され、ＢＳ１におけるものと同様に、ＲＦ受信機２１１は、受信アンテナ２０で受信されたＲＦ信号について、ベースバンド周波数への周波数変換（ダウンコンバート）やディジタル信号処理のためのディジタル信号へのＡＤ変換などを含む所要の無線受信処理を施すものである。【００７２】
信号処理部２１２は、このＲＦ受信機２１１により得られたベースバンドディジタル信号について、少なくとも復調処理や復号処理を含む所要のディジタル信号処理を施すもので、当該信号処理後の信号はＭＳ３へのリレーのために送信部２２（信号処理部２２１）に入力されるようになっている。【００７３】
また、送信部２２は、ＭＳ３又はＢＳ１若しくは他のＲＳ２宛の送信信号を生成するもので、例えば、信号処理部２２１とＲＦ送信機（Ｔｘ）２２２とをそなえて構成され、信号処理部２２１は、ＭＳ３又はＢＳ１へ送信すべき信号（メッセージやデータなど）の符号化（畳込み符号やターボ符号等の誤り訂正符号化）処理、所定フォーマットの送信フレーム（ＯＦＤＭフレームやＯＦＤＭＡフレーム）の生成処理、ＱＰＳＫや１６ＱＡＭ等による変調処理などを含む所要のディジタル信号処理を行なうものであり、ＲＦ送信機２２２は、この信号処理部２２１により得られた送信信号（ディジタルベースバンド信号）について、アナログ信号へのＤＡ（Digital to Analog）変換や送信ＲＦ信号への周波数変換（アップコンバート）などを含む所要の無線送信処理を施すものである。【００７４】
送信アンテナ２３は、この送信部２２にて得られた送信信号をＭＳ３又はＢＳ１若しくは他のＲＳ２に向けて空間に放射するものである。【００７５】
ＨＡＲＱバッファ２４は、ＭＳ３又はＢＳ１若しくは他のＲＳ２に送信したデータを後の再送に備えて、逐次、一時的に保持しておくものである。ただし、当該ＨＡＲＱバッファ２４には、後述するように、ＲＳ制御部２５の制御の下、ＢＳ１又はＭＳ３若しくは他のＲＳ２から受信した新規のデータ（次ホップ先ノードに未送信のデータ）も格納されるようになっている。【００７６】
そして、ＲＳ制御部２５は、ＢＳ１から直接あるいは上位のＲＳ２を介して受信したスケジューリング情報に基づいて自局２とＭＳ３又は下位のＲＳ２との間の無線リンクにおける通信（バースト割当、データ送受信処理）を制御する機能を具備するもので、例えば、スケジューリング（ＳＣＨ）情報生成部２５１と、DL/UL MAP生成部２５２と、ＲＳ状態管理部２５３と、受信結果（応答：ＡＣＫ／ＮＡＫ）生成部２５４とをそなえて構成される。【００７７】
ここで、スケジューリング情報生成部２５１は、ＭＳ３宛のデータの次ホップ先ノードが他のＲＳ２である場合に、ＢＳ１から直接あるいは上位のＲＳ２を介して受信されたスケジューリング情報を基に次ホップ先ノードである下位のＲＳ２に送信すべきスケジューリング情報を生成するためのものである。なお、上位のＲＳ２とはＢＳ１に近い側のＲＳ２を意味し、下位（配下）のＲＳ２とはＭＳ３に近い側のＲＳ２を意味する。【００７８】
また、DL/UL MAP生成部２５２は、ＢＳ１から直接あるいは上位のＲＳ２を介して受信されたスケジューリング情報を基に次ホップ先ノードであるＭＳ３又は他のＲＳ２との間の無線リンクにおけるバースト割当情報を含むDL/UL MAPを生成することができるものであり、受信結果（応答）生成部２５４は、ＢＳ１宛に送信（応答）すべき受信結果情報（ＡＣＫ又はＮＡＫ）を生成することができるものである。【００７９】
そして、ＲＳ状態管理部２５３は、ＤＬについては図５に示すような状態管理テーブルにより５つの状態Ｓ０，Ｓ１，Ｓ２，Ｓ３，Ｓ４を管理し、ＵＬについては図９に示すような状態管理テーブルにより２つの状態Ｓ０，Ｓ１を管理するもので、ＲＳ制御部２５は、当該状態に応じたＤＬ及びＵＬについての処理を実行するようになっている。なお、その詳細については後述する。【００８０】
（ＢＳ１及びＲＳ２の基本動作）
上述のごとく構成された本例におけるＢＳ１及びＲＳ２の基本的な動作（ＤＬ処理及びＵＬ処理）について説明すると、以下のとおりである。【００８１】
（ＤＬ処理）
（１）OLE_LINK3ＤＬに関して、ＲＳ２は、ＢＳOLE_LINK3１又は上位のＲＳ２から、自局２と下位のＲＳ２との間、あるいは自局２とＭＳ３との間のスケジューリング情報（第１の割当情報）と、新規ＨＡＲＱデータとを受信すると、その時点で下位のＲＳ２あるいはＭＳ３に対する過去（前回）のＨＡＲＱデータの送信が完了していた場合は、受信した新規ＨＡＲＱデータを次ホップ先ノードである下位のＲＳ２又はＭＳ３へ送信（中継）するためのDL/UL MAP（第２の割当情報）を生成して次ホップ先ノードへ送信するとともに、当該新規ＨＡＲＱデータを次ホップ先ノードへ送信する。【００８２】
（２）一方、過去のＨＡＲＱデータの送信が失敗していた場合は、受信した新規ＨＡＲＱデータは自局２のＨＡＲＱバッファ２４にバッファし、当該過去のＨＡＲＱデータの再送を行なう。その際、ＢＳ１又は上位のＲＳ２から受信した新規ＨＡＲＱデータの送信のためのスケジューリング情報（第１の割当情報）を基に、過去のＨＡＲＱデータの再送のためのDL/UL MAP（第２の割当情報）を生成して送信する。【００８３】
（３）また、ＲＳ２からのバッファしているＨＡＲＱデータの送信は、ＢＳ１あるいは上位のＲＳ２から送信されてくるスケジューリング情報（スケジューリング情報には、ＨＡＲＱデータの送信の情報が記述されている）からＨＡＲＱデータの送信のためのDL/UL MAPを生成し、その送信とともに、バッファしているＨＡＲＱデータを送信する。【００８４】
（４）さらに、ＲＳ２は、ＢＳ１あるいは上位のＲＳ２からＨＡＲＱデータと、そのＨＡＲＱデータの送信（中継）に関するスケジューリング情報とを受信した時に、ＨＡＲＱデータに誤りがある場合は、次ホップ先ノードである下位のＲＳ２あるいはＭＳ３に対して、前回送信したＨＡＲＱデータを再送する。つまり、次ホップ先ノードから前回のＨＡＲＱデータに対する応答がＡＣＫ（受信成功）であった場合でも、ＮＡＣＫ（受信失敗）であった場合でも、前回のＨＡＲＱデータを送信するようにDL/UL MAPを生成して送信する。あるいは、この状況において、配下のＲＳ２あるいはＭＳ３から１つ前のＨＡＲＱデータに対する応答がＡＣＫ（受信成功）であった場合は、ＨＡＲＱデータは送信しないことも可能である。【００８５】
（５）ところで、ＲＳ２は、ＢＳ１あるいは上位のＲＳ２からスケジューリング情報を受信して、当該スケジューリング情報に含まれるＨＡＲＱデータの送信（中継）に関する情報を基にDL/UL MAPを生成する際に、新規送信か再送かを表すフラグ情報（図６により後述するAI_SNの値）を操作（更新）する。つまり、ＲＳ２は、新規あるいは再送のＨＡＲＱデータの送信に合わせて、DL/UL MAPにおけるHARQデータ送信のフラグ情報を更新する。【００８６】
（６）一方、ＤＬに関して、ＢＳ１は、下位のＲＳ２あるいはＭＳ３からのＨＡＲＱデータの受信結果（ＡＣＫ又はＮＡＫ）の受信を待たずに、新規ＨＡＲＱデータの送信と、そのＨＡＲＱデータを中継するためのスケジューリング情報の送信とを実行する。【００８７】
（７）また、ＢＳ１は、下位のＲＳ２あるいはＭＳ３からの受信結果を受信し、いずれかの区間でＨＡＲＱデータの伝送に失敗していた場合は、その区間でＨＡＲＱデータを再送するためのスケジューリング情報を生成して、ＲＳ２に送信する。また、この際、新規ＨＡＲＱデータの送信は行なってもよいし停止してもよい。【００８８】
（ＵＬ処理）
（８）一方、ＵＬに関して、ＲＳ２は、ＢＳ１又は上位のＲＳ２から受信する、下位のＲＳ２あるいはＭＳ３からのＨＡＲＱデータの送信（中継）のためのスケジューリング情報を基に下位のＲＳ２あるいはＭＳ３へのDL/UL MAPを生成する。このとき、過去（１つ前）に受信したＨＡＲＱデータの受信状況によって、下位のＲＳ２あるいはＭＳ３に、再送を行なわせるか新規ＨＡＲＱデータの送信を行なわせるかを決定する。即ち、１つ前のＨＡＲＱデータの受信が成功していれば、新規ＨＡＲＱデータを送信させ、１つ前のＨＡＲＱデータの受信に失敗していれば、そのＨＡＲＱデータの再送を行なわせる。【００８９】
（９）ところで、ＲＳ２は、下位のＲＳ２あるいはＭＳ３からＨＡＲＱデータを受信したときに、受信した結果を上位のＲＳ２あるいはＢＳ１に送信する。これは、ＢＳ１あるいは上位のＲＳ２は、下位のＲＳ２の受信結果を認識せずに次の新規ＨＡＲＱデータの送信のための割り当てを行なうため、ＲＳ２にて受信に失敗していた場合に、上位のＲＳ２あるいはＢＳ１に対して、ＨＡＲＱデータの受信を行なわないように通知するためである。【００９０】
（１０）さらに、ＲＳ２は、下位のＲＳ２あるいはＭＳ３からＨＡＲＱデータを正常に受信したが、上位のＲＳ２あるいはＢＳ１からは、その１つ前のＨＡＲＱデータの再送を要求された場合は、受信したＨＡＲＱデータをＨＡＲＱバッファ２４にバッファし、上位のＲＳ２あるいはＢＳ１に対して、１つ前のＨＡＲＱデータの再送を行なう。【００９１】
（１１）また、ＲＳ２にて、配下のＲＳ２あるいはＭＳ３からのＨＡＲＱデータをバッファしている状態において、上位のＲＳ２あるいはＢＳ１から、１つ前のＨＡＲＱデータの再送を要求された場合は、配下のＲＳ２あるいはＭＳ３に対しては、バッファしているＨＡＲＱデータの再送を要求する。この処理を行なうことにより、配下のＲＳ２あるいはＭＳ３から新規ＨＡＲＱデータの送信あるいは中継を抑制して、ＲＳ２のＨＡＲＱバッファ２４のバッファ溢れを防止することが可能である。【００９２】
（１２）ところで、ＲＳ２において、配下のＲＳ２あるいはＭＳ３に対する、新規ＨＡＲＱデータの送信あるいは１つ前のＨＡＲＱデータの再送は、配下のＲＳ２あるいはＭＳ３に送信するDL/UL MAPにおけるＨＡＲＱデータの新規送信もしくは再送を示すフラグ情報（図１０により後述するAI_SNの値）を更新することによって行なう。【００９３】
（１３）ここで、このDL/UL MAPの生成は、ＢＳ１から直接または上位のＲＳ２を介して受信するスケジューリング情報を基に行なう。【００９４】
（１４）また、ＵＬに関して、ＢＳ１は、下位のＲＳ２とＭＳ３に対して、連続したＨＡＲＱデータの送信を行なわせるために、ＨＡＲＱデータの送信のためのスケジューリング情報を連続して送信する。これにより、ＲＳ２が配下のＲＳ２あるいはＭＳ３からのＨＡＲＱデータの受信結果や、上位ノードからのＨＡＲＱデータの中継要求を基に、新規ＨＡＲＱデータの送信あるいはＨＡＲＱデータの再送を制御することで、連続したＨＡＲＱデータの送信を行なわせることが可能になる。【００９５】
以上のとおり、ＤＬに関して、ＢＳ１は、下位のＲＳ２あるいはＭＳ３からのＨＡＲＱデータの受信結果の応答を待たずに、新規ＨＡＲＱデータを送信することで、マルチホップに関係なく、ＭＳ３に対して、連続したＨＡＲＱデータの送信を行なうことが可能になる。【００９６】
また、ＤＬの経路において、ＨＡＲＱデータに誤りが発生した場合でも、ＲＳ２が、ＢＳ１から受信する新規ＨＡＲＱデータの中継のためのスケジューリング情報を基に１つ前のＨＡＲＱデータの再送を行なうようにDL/UL MAPを生成（更新）し、前のＨＡＲＱデータを再送することで、配下のＲＳ２あるいはＭＳ３から要求されているＨＡＲＱデータの再送に対して、即時に対応することが可能となる。【００９７】
一方、ＵＬに関しては、ＢＳ１は、随時、配下のＲＳ２およびＭＳ３に対してＨＡＲＱデータを送信させるためのスケジューリング情報を送信し、ＲＳ２は、配下のＲＳ２あるいはＭＳ３からのＨＡＲＱデータの受信結果からＨＡＲＱデータの再送あるいは新規ＨＡＲＱデータの送信を要求することで、連続したＨＡＲＱデータの中継が可能となる。【００９８】
（ＤＬ処理の詳細例）
次に、ＢＳ１とＭＳ３との間の通信を１台のＲＳ２が中継する場合（２ホップシステム）のＤＬ処理の詳細について、図４〜図７を用いて説明する。【００９９】
（ＢＳ１での処理）
図４は、ＲＳ２に対してＨＡＲＱデータの送信機会が与えられたときのＢＳ１（ＢＳ制御部１５）における処理動作例を示している。【０１００】
ＢＳ１では、ＲＳ２及びＭＳ３におけるＨＡＲＱデータの受信状況（ＡＣＫ及びＮＡＫ）を把握、管理し、その状況を基に次の新規ＨＡＲＱデータの送信や当該ＨＡＲＱデータの送信（中継）に関する情報を含むスケジューリング情報の送信を決定する。【０１０１】
即ち、本例におけるＢＳ１（ＢＳ制御部１５）は、ＲＳ２から受信した１つ前のＨＡＲＱデータに対する受信結果（以下、応答ともいう）と、ＭＳ３からＲＳ２を介して受信した２つ前のＨＡＲＱデータに対する受信結果とに基づいて、以下の状態Ｓ０，Ｓ１，Ｓ２，Ｓ３をＢＳ状態管理部１５３（状態管理テーブル）にて管理し、その状態に応じた処理を行なう。【０１０２】
（状態Ｓ０）ＲＳ２からの１つ前のＨＡＲＱデータに対する応答がＡＣＫ（受信成功）であり、ＭＳ３からの２つ前のＨＡＲＱデータに対する応答がＡＣＫ（受信成功）の場合は、ＢＳ１は新しいＨＡＲＱデータの送信とともに、そのＨＡＲＱデータの中継に関する情報を含むスケジューリング情報をＲＳ２に送信する。【０１０３】
（状態Ｓ１）ＲＳ２からの１つ前のＨＡＲＱデータに対する応答がＡＣＫ（受信成功）であり、ＭＳ３からの２つ前のＨＡＲＱデータに対する応答がＮＡＣＫ（再送要求）の場合は、ＲＳ２にて１つ前のＨＡＲＱデータがＨＡＲＱバッファ２４にバッファされている状況であるため、ＢＳ１は、そのバッファされているＨＡＲＱデータをＲＳ２からＭＳ３に送信させるためのスケジューリング情報をＲＳ２に送信する。このとき、新規ＨＡＲＱデータの送信は行なわない。【０１０４】
（状態Ｓ２）一方、ＲＳ２からの１つ前のＨＡＲＱデータに対する応答がＮＡＣＫ（再送要求）であり、ＭＳ３からの２つ前のＨＡＲＱデータに対する応答がＡＣＫ（受信成功）の場合、ＢＳ１は、ＲＳ２に対して１つ前のＨＡＲＱデータの再送を行なう。このとき、そのＨＡＲＱデータの中継に関するスケジューリング情報も送信する。【０１０５】
（状態Ｓ３）ＲＳ２からの１つ前のＨＡＲＱデータに対する応答がＮＡＣＫ（再送要求）であり、ＭＳ３からの２つ前のＨＡＲＱデータに対する応答がＮＡＣＫ（再送要求）の場合も状態Ｓ２と同じ処理を行なう。【０１０６】
（ＲＳ２での処理）
一方、図５は、ＢＳ１からスケジューリング情報を受信、あるいはスケジューリング情報及びＨＡＲＱデータを受信したときのＲＳ２（ＲＳ制御部２５）におけるＭＳ３に対する処理動作例を示している。【０１０７】
即ち、ＲＳ２では、ＭＳ３からの１つ前のＨＡＲＱデータに対する応答と、自局２のＨＡＲＱバッファ２４内のＨＡＲＱデータの有無及びＢＳ１からのＨＡＲＱデータの受信状況とに基づいて、５つの状態Ｓ０，Ｓ１，Ｓ２，Ｓ３，Ｓ４をＲＳ状態管理部２５３（状態管理テーブル）にて管理し、これらの状態に応じた処理（ＭＳ３に送信するＨＡＲＱデータの決定やDL/UL MAPに設定するAI_SNの更新）を行なう。【０１０８】
また、図６に、ＲＳ２からＭＳ３に送信するDL/UL MAPの一例を示す。
DL/UL MAPには、無線フレームにおけるＨＡＲＱデータの送信情報であるHARQ DL MAP IE(Information Element)が含まれる。このHARQ DL MAP IEの中には、ＭＳ３の識別情報（RCID_IE）やＨＡＲＱデータのチャネル番号を示す情報（ACID），新規送信か再送かを示す情報（AI_SN）などを含むDL HARQ xxx sub-burst IEが含まれている。なお、xxxには、例えば、Chase，IR CTCなどのＨＡＲＱのパターンが記述される。【０１０９】
ＲＳ２は、ＢＳ１からスケジューリング情報を受信し、DL/UL MAPを生成する場合、ＭＳ３のＨＡＲＱデータの受信状況に応じて、ＨＡＲＱデータに関するＩＥの情報を更新する。具体的には、ＨＡＲＱデータの新規送信か再送かを示すフラグ情報（AI_SN）を更新する。このAI_SNのとり得る値は、“０”か“１”であり、前のＨＡＲＱデータの送信時と同じ値である場合は再送を示し、異なる値の場合は新規ＨＡＲＱデータの送信を示す。【０１１０】
例えば、図５における状態Ｓ０の場合はＭＳ３に対してＨＡＲＱデータの送信を行なっていない状況であり、ＲＳ２は、ＢＳ１から新規ＨＡＲＱデータを正常受信した場合に、そのＨＡＲＱデータをＭＳ３に中継するが、このとき、ＲＳ２からＭＳ３に送信するDL/UL MAPにおけるAI_SNは、ＢＳ１から受信したスケジューリング情報に設定されている値と一致させる（AI_SN反転なし）。【０１１１】
一方、状態Ｓ０において、ＲＳ２がＢＳ１からのＨＡＲＱデータの受信に失敗した場合、ＲＳ２は、ＨＡＲＱデータの中継は行なわない。AI_SNは、スケジューリング情報とは異なる値にする（AI_SN反転あり）。このとき、ＭＳ３は、正常にＨＡＲＱデータを受信できないため、ＲＳ２に対してＮＡＫ（再送要求）を通知することになる。そして、ＲＳ２は、その後にＢＳ１から正常に受信したＨＡＲＱデータをＭＳ３に中継する際に、ＲＳ２からＭＳ３に送信するDL/UL MAPにおけるAI_SNをスケジューリング情報と一致したAI_SN値に設定する。この場合、ＭＳ３は、それより前のＨＡＲＱデータを破棄し、新規ＨＡＲＱデータの受信を行なう。【０１１２】
また、状態Ｓ１は、先に送信したＨＡＲＱデータに対するＭＳ３からの応答がＡＣＫ（受信成功）で、ＲＳ２のＨＡＲＱバッファ２４には、ＨＡＲＱデータが格納されていない状態であり、この状態において、ＢＳ１からＨＡＲＱデータを正常受信した場合には、ＲＳ２は、ＭＳ３に受信ＨＡＲＱデータを中継する。このとき、ＲＳ２からＭＳ３に送信するDL/UL MAPのAI_SNは、ＢＳ１から受信したスケジューリング情報に設定されている値と異なる値に設定する（AI_SN反転あり）。【０１１３】
一方、ＢＳ１からのＨＡＲＱデータの受信に失敗した場合には、ＲＳ２は、ＭＳ３に送信するDL/UL MAPのAI_SNを、前に送信したDL/UL MAPのAI_ SNと同じ値に設定し（AI_SN反転なし）、前のＨＡＲＱデータの送信（再送）を行なう（あるいは、ＨＡＲＱデータの送信は行なわない）。ＭＳ３は、このDL/UL MAPを参照することにより、前のＨＡＲＱデータの再送と判断するが、そのＨＡＲＱデータは既に受信済みであるため、ＲＳ２に対して、ＡＣＫ（受信成功）を送信する。【０１１４】
さらに、状態Ｓ２は、先に送信したＨＡＲＱデータに対するＭＳ３からの応答がＮＡＫ（再送要求）であり、ＲＳ２のＨＡＲＱバッファ２４には、ＨＡＲＱデータが格納されていない状態であり、この状態において、ＢＳ１からのＨＡＲＱデータを正常に受信した場合、ＲＳ２は、そのＨＡＲＱデータをＨＡＲＱバッファ２４に格納し、ＭＳ３に送信するDL/UL MAPのAI_SNを前に送信したDL/UL MAPのAI_SNと同じ値に設定する（AI_SNの反転なし）。そして、ＲＳ２は、ＭＳ３に前のＨＡＲＱデータを再送する。一方、ＢＳ１からのＨＡＲＱデータの受信に失敗した場合も、DL/UL MAPのAI_SNの値はそのままに、ＭＳ３に前のＨＡＲＱデータを再送する。ただし、ＢＳ１からのＨＡＲＱデータはＨＡＲＱバッファ２４に格納しない。【０１１５】
また、状態Ｓ３及び状態Ｓ４は、ＲＳ２のＨＡＲＱバッファ２４にＢＳ１からのＨＡＲＱデータが格納されている状態であり、このときＲＳ２は、ＢＳ１からＨＡＲＱデータの再送を記述したスケジューリング情報のみを受信する。【０１１６】
そして、状態Ｓ３は、先に送信したＨＡＲＱデータに対するＭＳ３からの応答がＡＣＫ（受信成功）の場合であるので、ＨＡＲＱバッファ２４にバッファされているＨＡＲＱデータをＭＳ３に送信する。このとき、DL/UL MAPのAI_SNは反転する。一方、状態Ｓ４は、先に送信したＨＡＲＱデータに対するＭＳ３からの応答がＮＡＣＫ（再送要求）の場合であるので、ＭＳ３に前のＨＡＲＱデータを再送する。この場合のDL/UL MAPのAI_SNは前回送信時のAI_SNと同じ値に設定する（AI_SN反転なし）。【０１１７】
（２ホップシステムにおけるＤＬの再送制御シーケンス）
次に、上述したＢＳ１及びＲＳ２の動作（ＤＬ処理）を前提として、ＢＳ１とＭＳ３との間の通信を１台のＲＳ２が中継する場合のＤＬの再送処理について、図７に示すシーケンス図を参照しながら説明する。この図７は、ＲＳ２からＭＳ３へのＨＡＲＱデータの伝送に誤りが生じて、ＲＳ２からＭＳ３へ再送を行なう場合の処理について示している。【０１１８】
ＢＳ１は、ＲＳ２とＭＳ３との間の無線リンクにおいてＨＡＲＱデータ＃１を送信（中継）するためのスケジューリング（ＳＣＨ）情報を、DL/UL MAPで指定するＤＬバーストにてＲＳ２に送信するとともに（ステップＡ１，Ａ２）、ＨＡＲＱデータ＃１を当該DL/UL MAPで指定するＤＬバーストにてＲＳ２宛に送信する（ステップＡ３）。【０１１９】
ここで、前記スケジューリング情報には、送信データ（ＨＡＲＱデータ）の中継に関する情報、即ち、ＲＳ２とＭＳ３との間の無線リンク（無線フレーム）においてＢＳ１及びＲＳ２が通信に用いるべき領域（バースト）の割当情報が少なくとも含まれる。【０１２０】
また、前記DL/UL MAPには、ＢＳ１とＲＳ２との間の無線リンク（無線フレーム）においてスケジューリング情報及びＨＡＲＱデータをそれぞれどの領域（ＤＬバースト）にて送信するかを示す情報が少なくとも含まれる。【０１２１】
したがって、ＲＳ２は、ＢＳ１から受信したDL/UL MAPが示すＤＬバーストの受信処理をすることにより、ＢＳ１からのスケジューリング情報及びＨＡＲＱデータを受信することができ、また、受信したスケジューリング情報に基づいてＭＳ３との間の通信（バースト割当、つまりはＭＳ３へのDL/UL MAPの生成）を制御することができるようになる。【０１２２】
さて、ＲＳ２は、ＢＳ１から受信した前記DL/UL MAPに基づいて、ＢＳ１からＨＡＲＱデータを受信するとともに、ＲＳ２とＭＳ３との間におけるスケジューリング情報を取得すると、当該スケジューリング情報を基にＲＳ２−ＭＳ３間についてのDL/UL MAPを生成してＭＳ３へ送信するとともに、ＢＳ１から受信したＨＡＲＱデータ＃１を当該DL/UL MAPが示すＤＬバーストにてＭＳ３に送信する（ステップＡ４，Ａ５）。また、ＲＳ２は、ＢＳ１からのＨＡＲＱデータ＃１を正常に受信（デコード）できたこと（受信成功）を示す情報（ＡＣＫ）を、ＨＡＲＱデータ＃１の送信元であるＢＳ１に送信する（ステップＡ７）。【０１２３】
ＭＳ３は、ＲＳ２から受信したDL/UL MAPが示すＤＬバーストを受信処理することにより、ＨＡＲＱデータ＃１を受信するが、当該ＨＡＲＱデータ＃１に訂正可能な範囲を超える誤りが発生して正常に受信（デコード）できなかった場合（ステップＡ６）、ＭＳ３は、その旨（受信失敗）を示す情報（ＮＡＫ）をＢＳ１宛に送信する（ステップＡ８）。【０１２４】
一方、ＢＳ１は、ＨＡＲＱデータ＃１をＲＳ２へ送信した後、ＲＳ２からの前記ＡＣＫ（受信完了）を受信すると、次のＨＡＲＱデータ（新規データ）＃２の送信を行なう。即ち、ＢＳ１は、先のＨＡＲＱデータ＃１の送信と同様に、そのＨＡＲＱデータ＃２を中継するためのスケジューリング情報と、当該スケジューリング情報のバースト割当情報（DL/UL MAP）とを生成し、これらとＨＡＲＱデータ＃２とをＲＳ２へ送信する（ステップＡ９，Ａ１０，Ａ１１）。ここで、ＢＳ１は、ＭＳ３からのＨＡＲＱデータ＃１に対する応答（ＡＣＫ又はＮＡＫ）の受信を待たずに送信を行なう。【０１２５】
ＲＳ２は、ＢＳ１から受信したDL/UL MAPに基づいて新規ＨＡＲＱデータ＃２についてのスケジューリング情報と当該ＨＡＲＱデータ＃２とを受信するとともに、ＭＳ３から送信された前記ＨＡＲＱデータ＃１に対するＮＡＫ（再送要求）を受信すると、ＢＳ１から受信したＨＡＲＱデータ＃２をＭＳ３に中継する代わりに、１つ前のＨＡＲＱデータ＃１をＭＳ３に送信（再送）し、ＢＳ１から新たに受信したＨＡＲＱデータ＃２はＨＡＲＱバッファ２４にバッファする。【０１２６】
このとき、ＲＳ２は、ＢＳ１から受信したスケジューリング情報を基にＭＳ３宛のDL/UL MAPを生成するが、その際、ＨＡＲＱデータ＃２の新規送信のための情報ではなく、ＨＡＲＱデータ＃１の再送のための情報に更新（前記フラグ情報であるAI_SNの更新）した上で、当該DL/UL MAPと１つ前のＨＡＲＱデータ＃１とをＭＳ３に送信する（ステップＡ１３，Ａ１４）。これにより、ＨＡＲＱデータ＃１の再送を迅速に行なうことが可能になる。【０１２７】
ＭＳ３は、ＲＳ２から受信したDL/UL MAPが示すＤＬバーストを受信処理することにより、ＨＡＲＱデータ＃１を再受信し、正常に受信（デコード）できれば、その旨（ＡＣＫ）をＲＳ２に送信する（ステップＡ１６）。【０１２８】
この間、ＲＳ２では、前記ステップＡ８においてＭＳ３から受信したＨＡＲＱデータ＃１に対するＮＡＫをＢＳ１に送信（中継）し（ステップＡ１２）、また、ＢＳ１から受信した新規ＨＡＲＱデータ＃２の受信結果（本例ではＡＣＫ）をＢＳ１に送信（応答）している（ステップＡ１５）。【０１２９】
一方、ＢＳ１は、ＲＳ２からＨＡＲＱデータ＃１に対するＭＳ３での受信結果（ＮＡＫ）を受信すると、新規ＨＡＲＱデータ＃３の送信は行なわずに、１つ前のＨＡＲＱデータ＃２の中継のためのスケジューリング情報と、当該スケジューリング情報のＲＳ２との間の無線リンクにおけるバースト割当情報（DL/UL MAP）とを生成してＲＳ２にそれぞれ送信する（ステップＡ１７，Ａ１８）。【０１３０】
ＲＳ２は、これらのDL/UL MAPとスケジューリング情報とを受信するが、この時点で、前記ステップＡ１６においてＭＳ３が送信したＨＡＲＱデータ＃１に対する受信結果（ＡＣＫ）を既に受信しているため、当該ＡＣＫをＢＳ１に送信（中継）するとともに（ステップＡ１９）、ＢＳ１から受信したスケジューリング情報を基にＨＡＲＱデータ＃２のためのDL/UL MAPを生成し、当該DL/UL MAPが示すＤＬバーストにてＨＡＲＱバッファ２４にバッファしていたＨＡＲＱデータ＃２をＭＳ３に送信する（ステップＡ２０、Ａ２１）。【０１３１】
なお、前記ステップＡ１６においてＭＳ３が送信したＨＡＲＱデータ＃１に対する受信結果が再度ＮＡＫであった場合、ＲＳ２は、前記ステップＳ１３及びＳ１４と同様にして、ＨＡＲＱデータ＃２のためのDL/UL MAPをＨＡＲＱデータ＃１のためのDL/UL MAPに更新した上で、当該DL/UL MAPとＨＡＲＱデータ＃１とをＭＳ３に送信することになる。【０１３２】
（UＬ処理の詳細例）
次に、ＢＳ１とＭＳ３との間の通信を１台のＲＳ２が中継する場合（２ホップシステム）のUＬ処理の詳細について、図８〜図１２を用いて説明する。【０１３３】
（ＢＳ１での処理）
図８は、ＢＳ１（ＢＳ制御部１５）のＲＳ２に対する処理動作例を示している。
即ち、ＢＳ１は、逐次、ＲＳ２に対して、ＭＳ３にＨＡＲＱデータを送信させるためのスケジューリング情報を送信する。これは、ＲＳ２での受信状況やＢＳ１での受信状況には関係なく、ＲＳ２に対してスケジューリング情報を送信する。【０１３４】
また、ＲＳ２に対しては、１つ前のＨＡＲＱデータを正常受信した場合は、ＲＳ２から新規ＨＡＲＱデータの中継を要求するが（状態Ｓ０）、１つ前のＨＡＲＱデータがＲＳ２にて正常受信できていない場合やＢＳ１で受信に失敗した場合は、ＲＳ２に対して当該ＨＡＲＱデータの再送を要求する（状態Ｓ１、Ｓ２）。【０１３５】
（ＲＳ２での処理）
図９は、ＲＳ２（ＲＳ制御部２５）におけるＭＳ３に対する処理動作例を示している。
即ち、ＲＳ２は、ＭＳ３からのＨＡＲＱデータの受信状況及びＢＳ１へ中継したＨＡＲＱデータに対するＢＳ１からの再送要求の受信状況に応じて、ＭＳ３に対する処理を決定する（ＲＳ状態管理部２５３で管理している２つの状態Ｓ０及びＳ１に応じた処理を実行する）。【０１３６】
また、図１０に、ＲＳ２からＭＳ３に送信するDL/UL MAPの一例を示す。
当該DL/UL MAPには、無線フレームにおけるＵＬのＨＡＲＱデータの送信要求情報であるHARQ UL MAP IEが含まれる。このHARQ UL MAP IEの中には、ＭＳ３の識別情報（RCID_ID）やＨＡＲＱデータのチャネル番号を示す情報（ACID），新規送信か再送かを示す情報（AI_SN）などを含むDL HARQ xxx sub-burstが含まれている。なお、xxxには、例えば、Chase, IR CTCなどのＨＡＲＱの方法が記述される。【０１３７】
ＲＳ２は、ＢＳ１からスケジューリング情報を受信してDL/UL MAPを生成する場合、ＭＳ３からのＨＡＲＱデータの受信状況に応じて、ＨＡＲＱデータに関するＩＥの情報を更新する。具体的には、ＨＡＲＱデータの新規送信か再送かを示すAI_SNの値を更新する。AI_SNのとり得る値は、“０”か“１”であり、ＨＡＲＱデータの受信に成功し、新規のＨＡＲＱデータを送信させる場合は、前とは異なる値にし、ＨＡＲＱデータの受信に失敗して、再送を行なわせる場合は、前と同じ値に設定する。【０１３８】
したがって、ＲＳ２は、ＭＳ３からＨＡＲＱデータを正常受信している状態Ｓ０において、ＢＳ１から新規ＨＡＲＱデータの中継を要求された場合は、ＭＳ３に対して、新規ＨＡＲＱデータの送信を要求する（AI_SN反転あり）。一方、ＢＳ１から１つ前のＨＡＲＱデータの再送を要求された場合は、ＭＳ３に対しては、既に正常受信しているが、１つ前のＨＡＲＱデータの再送を要求する。これは、ＲＳ２のＨＡＲＱバッファ２４でのＨＡＲＱデータのバッファ溢れを制限するためである。【０１３９】
これに対し、ＲＳ２が、ＭＳ３からのＨＡＲＱデータの受信に失敗している状態Ｓ１では、ＲＳ２は、ＭＳ３に対しては常にＨＡＲＱデータの再送を要求する（AI_SN反転なし）。なお、ＲＳ２からＢＳ１への処理については、ＢＳ１からの要求どおりに行なう。つまり、ＢＳ１から再送を要求された場合は、ＨＡＲＱデータの再送を行ない、新規送信を要求された場合は、新規ＨＡＲＱデータを中継する。ここで、ＢＳ１に対して送信するＨＡＲＱデータがない場合、つまりはＲＳ２において、ＭＳ３からのＨＡＲＱデータの受信に失敗している場合は、ＨＡＲＱデータの送信を行なわずに、ＭＳ３からのＨＡＲＱデータ受信失敗をＢＳ１に通知する。【０１４０】
（２ホップシステムにおけるＵＬの再送制御シーケンス）
次に、上述したＢＳ１及びＲＳ２の動作（ＵＬ処理）を前提として、ＢＳ１とＭＳ３との間の通信を１台のＲＳ２が中継する場合のＵＬの再送処理について、図１１及び図１２に示すシーケンス図を参照しながら説明する。なお、図１１は、ＲＳ２とＭＳ３との間のＨＡＲＱデータの伝送に誤りが生じて、ＭＳ３から再送を行なう場合の処理について示しており、図１２は、ＲＳ２とＢＳ１との間でＨＡＲＱデータに誤りが生じ、ＲＳ２から再送を行なう場合の処理について示している。【０１４１】
（ＲＳ２とＭＳ３との間の伝送に誤りが発生した場合）
図１１に示すように、ＢＳ１は、DL/UL MAPと、ＭＳ３からの送信データ（ＨＡＲＱデータ）＃１をＲＳ２にて中継するための情報として、ＲＳ２とＭＳ３との間の無線リンクについてのスケジューリング（ＳＣＨ）情報とをＲＳ２に送信する（ステップＢ１，Ｂ２）。【０１４２】
ここで、当該スケジューリング情報には、ＭＳ３からの送信データ（ＨＡＲＱデータ）の中継に関する情報、即ち、ＲＳ２とＭＳ３との間の無線リンク（無線フレーム）においてＲＳ２及びＭＳ３が通信に用いるべきバーストの割当情報、より詳細には、ＭＳ３がＨＡＲＱデータをＲＳ２へ送信するのに用いるべきＵＬバーストの割当情報が少なくとも含まれる。また、前記DL/UL MAPには、ＢＳ１とＲＳ２との間の無線リンクにおいて当該スケジューリング情報をどの領域（ＤＬバースト）にて送信するかを示す情報が少なくとも含まれている。【０１４３】
したがって、ＲＳ２は、当該DL/UL MAPが示すＤＬバーストを受信処理することにより、前記スケジューリング情報を受信することができ、また、受信したスケジューリング情報に基づいてＭＳ３との通信（ＵＬバースト割当）を制御することができるようになる。【０１４４】
即ち、ＲＳ２は、ＢＳ１から受信したスケジューリング情報を基に、ＭＳ３との間の無線リンクにおいてＨＡＲＱデータを送信させるためのDL/UL MAP（ＭＳ３はＨＡＲＱデータ＃１をどのＵＬバーストを用いて送信すべきかを示す情報）を生成してＭＳ３へ送信する（ステップＢ３）。【０１４５】
ＭＳ３は、ＲＳ２から当該DL/UL MAPを受信すると、そのDL/UL MAPで割り当てられたＵＬバーストにてＨＡＲＱデータ＃１をＲＳ２に送信する（ステップＢ５）。
その一方で、ＢＳ１は、この間、DL/UL MAPによりＲＳ２がＨＡＲＱデータ＃１をＢＳ１へ中継するための領域（ＵＬバースト）をＲＳ２に割り当ててＨＡＲＱデータ＃１の中継（送信）を要求する（ステップＢ４）。【０１４６】
ＲＳ２は、ＭＳ３からＨＡＲＱデータ＃１を受信すると、誤り訂正復号を行なう。その結果、正しく復号できれば、ＲＳ２は、ＢＳ１に対してＨＡＲＱデータ＃１の受信成功（ＡＣＫ）を通知するが、ＨＡＲＱデータ＃１に訂正可能な範囲を超える誤りが生じていて正常受信できなければ（ステップＢ６）、ＢＳ１に対して、ＭＳ３からのＨＡＲＱデータ＃１の受信に失敗した旨の情報（ＮＡＫ）を通知する（ステップＢ９）。【０１４７】
一方、ＢＳ１は、この間、ＲＳ２におけるＨＡＲＱデータ＃１の受信結果（ＡＣＫ又はＮＡＫ）の受信を待たずに、スケジューリング情報の次の送信機会において、ＨＡＲＱデータ＃２の送信のためのスケジューリング情報と、当該スケジューリング情報のバースト割当情報（DL/UL MAP）とを生成してＲＳ２に送信する（ステップＢ７，Ｂ８）。【０１４８】
ＲＳ２は、当該DL/UL MAPにより割り当てられたＤＬバースト（スケジューリング情報）を受信すると、本来は、そのスケジューリング情報を基にＨＡＲＱデータ＃２の送信のためのDL/UL MAPを生成して送信すべきところ、ＨＡＲＱデータ＃１の受信に失敗しているため、新規ＨＡＲＱデータ＃２の送信を要求する代わりに、過去（１つ前）のＨＡＲＱデータ＃１の再送を要求する。【０１４９】
即ち、ＢＳ１からの新規ＨＡＲＱデータ＃２の送信のためのスケジューリング情報を基に過去（１つ前）のＨＡＲＱデータ＃１の再送を要求するDL/UL MAPを生成し、当該DL/UL MAPをＭＳ３に送信する（ステップＢ１０）。これにより、ＭＳ３は、当該DL/UL MAPにより指定されたＵＬバーストにて、ＨＡＲＱデータ＃１をＲＳ２に再送する（ステップＢ１２）。【０１５０】
なお、その間、ＢＳ１は、ＲＳ２がＭＳ３からのＨＡＲＱデータ＃１の受信に失敗したことを前記ＮＡＫの受信（ステップＢ９）により認識しているため、新規ＨＡＲＱデータ＃２ではなく１つ前のＨＡＲＱデータ＃１の中継をDL/UL MAPによりＲＳ２に要求し（ステップＢ１１）、新規ＨＡＲＱデータ＃２の送信のためのDL/UL MAPにより割り当てた受信領域（ＵＬバースト）についての受信処理は行なわない。【０１５１】
そして、ＲＳ２は、ＭＳ３から再送されたＨＡＲＱデータ＃１を受信すると、当該ＨＡＲＱデータの誤り訂正復号を行なう。その結果、正しく復号できれば、ＲＳ２は、ＢＳ１に対して、ＨＡＲＱデータ＃１を送信（中継）するとともに、受信成功（ＡＣＫ）を通知する（ステップＢ１５，Ｂ１６）。なお、ＭＳ３から受信したＨＡＲＱデータ＃１を再度正常受信できなかった場合は、前記ステップＢ９と同様に、ＲＳ２は、ＢＳ１に対してＮＡＫを通知することになる。【０１５２】
その一方で、この間、ＢＳ１は、ＲＳ２からのＨＡＲＱデータ、その受信結果（ＡＣＫ又はＮＡＫ）の受信を待たずに、スケジューリング情報の次の送信機会（周期）において、スケジューリング情報を生成してDL/UL MAPで指定するＤＬバーストにてＲＳ２に送信するが、その際、ＲＳ２がＨＡＲＱデータ＃１の受信に失敗していることを認識しているので、新規ＨＡＲＱデータ＃３の送信ではなく１つ前のＨＡＲＱデータ＃２の再送のためのスケジューリング情報をDL/UL MAPで指定するＤＬバーストにて送信する（ステップＢ１３，Ｂ１４）。【０１５３】
ＲＳ２は、当該DL/UL MAPにより指定されたＤＬバーストにて受信したスケジューリング情報を基に、１つ前のＨＡＲＱデータ＃２の送信を要求するDL/UL MAPを生成し、これをＭＳ３に送信する（ステップＢ１７）。これにより、ＭＳ３は、当該DL/UL MAPにより指定されたＵＬバーストにて、ＨＡＲＱデータ＃２をＲＳ２に再送することになる。【０１５４】
このように、ＢＳ１が、ＲＳ２からのＨＡＲＱデータの中継（受信結果の通知）を待たずに、次のＨＡＲＱデータ送信のためのスケジューリング情報を周期的な送信機会（図１１では３フレーム毎の送信機会）において連続的にＲＳ２に送信することにより（前記ステップＢ２，Ｂ８，Ｂ１４参照）、ＭＳ３は、当該周期に応じて連続的にＲＳ２からDL/UL MAPを受信することができ、ＨＡＲＱデータを連続して送信することが可能になる。【０１５５】
また、ＭＳ３とＲＳ２との間でＨＡＲＱデータの伝送に誤りが生じた場合は、ＲＳ２にて、ＢＳ１から受信される、新規ＨＡＲＱデータの送信（中継）のためのスケジューリング情報を基に、前のＨＡＲＱデータの再送のためのDL/UL MAPを生成するので（前記ステップＢ１０参照）、ＭＳ３は、前記伝送誤りの有無に関わらずDL/UL MAPを前記周期でＲＳ２から受信することができ、その受信周期で即時にＨＡＲＱデータの再送を行なうことが可能となる。【０１５６】
（ＢＳ１とＲＳ２との間の伝送に誤りが発生した場合）
図１２に示すように、ＲＳ２は、ＭＳ３からＨＡＲＱデータ＃１を正常に受信し、ＢＳ１にＨＡＲＱデータ＃１の中継を行なう。一方、ＢＳ１は、ＭＳ３からの新規ＨＡＲＱデータ＃２の送信のためのスケジューリング情報をDL/UL MAPで指定する領域（ＤＬバースト）にてＲＳ２に送信し（ステップＢ２１，Ｂ２２）、その後にＲＳ２からＨＡＲＱデータ＃１を受信するとともに（ステップＢ２３）、ＭＳ３が送信したＨＡＲＱデータ＃１のＲＳ２での受信結果（ＡＣＫ）を受信する（ステップＢ２５）。【０１５７】
ＢＳ１は、ＲＳ２から受信したＨＡＲＱデータ＃１を誤り訂正復号するが、訂正可能な範囲を超える誤りが生じていて正常にデコードできなければ（ステップＢ２４）、ＨＡＲＱデータ＃１の再送を要求するDL/UL MAPを生成してＲＳ２に送信する（ステップＢ２７）。【０１５８】
一方、ＢＳ１から新規ＨＡＲＱデータ＃２を送信するためのスケジューリング情報を受信したＲＳ２は、当該スケジューリング情報を基にＭＳ３がＨＡＲＱデータ＃２を送信するためのバースト割当情報（DL/UL MAP）を生成し、ＭＳ３に送信する（ステップＢ２６）。ＭＳ３は、当該DL/UL MAPを受信すると、ＨＡＲＱデータ＃２をそのDL/UL MAPで指定されたＵＬバーストにてＨＡＲＱデータ＃２をＲＳ２に送信する（ステップＢ２８）。【０１５９】
ＲＳ２は、当該ＨＡＲＱデータ＃２を受信するが、ＢＳ１から１つ前のＨＡＲＱデータ＃１の再送要求を受信しているため、ＢＳ１に対して、ＨＡＲＱデータ＃２を送信する代わりに、１つ前のＨＡＲＱデータ＃１を再送する（ステップＢ３１）。また、ＲＳ２は、ＭＳ３が送信したＨＡＲＱデータ＃１のＲＳ２での受信結果（ＡＣＫ）もＢＳ１に送信する（ステップＢ３２）。【０１６０】
その一方で、ＢＳ１は、ＲＳ２からのＨＡＲＱデータの受信、ＨＡＲＱデータのＲＳ２での受信結果の受信を待たずに、スケジューリング情報の次の送信機会（周期）で、DL/UL MAP及びスケジューリング情報をＲＳ２に送信する。ただし、このときＢＳ１は、ＨＡＲＱデータ＃１を正常に受信できていないため、新規ＨＡＲＱデータ＃３ではなく１つ前のＨＡＲＱデータ＃２の送信のためのスケジューリング情報を生成してDL/UL MAPで指定する領域（ＤＬバースト）にてＲＳ２に送信する（ステップＢ２９，Ｂ３０）。【０１６１】
そして、ＨＡＲＱデータ＃２のための前記スケジューリング情報を受信（ステップＳ３０）したＲＳ２は、当該スケジューリング情報を基にＨＡＲＱデータ＃２の送信領域（ＵＬバースト）を割り当てるバースト割当情報（DL/UL MAP）を生成してＭＳ３に送信し（ステップＢ３３）、ＭＳ３からＨＡＲＱデータ＃２を当該ＵＬバーストにて受信する（ステップＢ３５）。【０１６２】
このとき、ＲＳ２は、前記ステップＳ２８においてＨＡＲＱデータ＃２を既に正常受信しているが、ＭＳ３に新規ＨＡＲＱデータ＃３を送信させると、ＨＡＲＱバッファ２４のバッファ溢れが発生する可能性があるため、１つ前のＨＡＲＱデータ＃２を再送させることで、これを防いでいる。【０１６３】
そして、ＢＳ１は、ＨＡＱＲデータ＃２の送信（中継）をDL/UL MAPによりＲＳ２に要求し（ステップＢ３４）、ＲＳ２は、ＢＳ１に対して、ＭＳ３から受信したＨＡＲＱデータ＃２を送信するとともに（ステップＢ３８）、当該ＨＡＲＱデータ＃２の受信結果（ＡＣＫ）を送信する（ステップＢ３９）。【０１６４】
その一方で、ＢＳ１は、ＲＳ２からのＨＡＲＱデータ＃２、その受信結果の受信を待たずに、次の送信機会（周期）において、ＭＳ３からの新規ＨＡＲＱデータ＃３の送信のためのスケジューリング情報をDL/UL MAPで指定する領域（ＤＬバースト）にてＲＳ２に送信し（ステップＢ３６，Ｂ３７）、ＲＳ２は、当該スケジューリング情報を基にＨＡＲＱデータ＃３の送信領域（ＵＬバースト）の割当情報（DL/UL MAP）を生成してＭＳ３に送信する（ステップＢ４０）。これにより、ＭＳ３は、当該DL/UL MAPで指定されたＵＬバーストにて新規ＨＡＲＱデータ＃３をＲＳ２に送信する。【０１６５】
このように、ＢＳ１とＲＳ２との間でＵＬのＨＡＲＱデータの伝送に誤りが生じた場合においても、ＢＳ１は、ＲＳ２へ送信するDL/UL MAPをＨＡＲＱデータの受信結果に応じて更新（変更）してＲＳ２へ送信するので、ＭＳ３は、DL/UL MAPを前記周期に応じてＲＳ２から連続的に受信することができ、その受信周期で即時にＨＡＲＱデータの再送を行なうことが可能となる。【０１６６】
〔Ｂ〕第２実施形態の説明
次に、以下の第２実施形態では、ＢＳ１からＭＳ３（図１の場合はＭＳ３−３）へ送信されるＨＡＲＱデータを複数台（例えば２台）のＲＳ２−１（＃１）及び２−２（＃２）が中継する場合の処理（ＤＬ処理及びＵＬ処理）について説明する。【０１６７】
（ＤＬ処理の詳細例）
まず、ＢＳ１とＭＳ３との間の通信を２台のＲＳ２（＃１，＃２）が中継する場合（３ホップシステム）のＤＬ処理の詳細について、図１３〜図１５を用いて説明する。【０１６８】
（ＢＳ１での処理）
図１３は、ＲＳ２に対してＨＡＲＱデータの送信機会が与えられたときのＢＳ１（ＢＳ制御部１５）における処理動作例を示している。【０１６９】
この図１３に示すように、ＢＳ１（ＢＳ制御部１５）は、８つの状態Ｓ０〜Ｓ７をＢＳ状態管理部１５３（状態管理テーブル）にて管理し、当該状態Ｓ０〜Ｓ７に応じたＤＬ処理を実行する。即ち、ＢＳ１は、ＲＳ２及びＭＳ３におけるＨＡＲＱデータの受信状況（つまりは、ＲＳ２及びＭＳ３から受信したＨＡＲＱデータに対する応答の状況）を把握し、その状況から次の処理（新規ＨＡＲＱデータの送信や、ＨＡＲＱデータの送信および中継のためのスケジューリング情報の送信）を決定する。【０１７０】
ここで、ＢＳ１は、ＢＳ１との通信に複数のＲＳ２を介するＲＳ２およびＭＳ３からのＨＡＲＱデータに対する応答受信に遅延が生じるため、次の処理の際に参照する各ＲＳ２及びＭＳ３の応答結果の対象は異なる。【０１７１】
即ち、図１３に示すように、ＨＡＲＱデータ＃ｎ＋１を送信する契機を与えられたときに参照するＨＡＲＱデータの応答は、ＲＳ＃１に対しては１つ前のＨＡＲＱデータ＃ｎに対する応答、ＲＳ＃２に対しては２つ前のＨＡＲＱデータ＃ｎ−１、ＭＳ＃３に対しては３つ前のＨＡＲＱデータ＃ｎ−２に対する応答を確認する。【０１７２】
ここで、ＢＳ１は、新規ＨＡＲＱデータ＃ｎ＋１の送信機会を与えられたときに、各ＲＳ＃１，＃２，ＭＳ＃３のＨＡＲＱデータ伝送に対する応答を参照し、全てがＡＣＫ（受信完了）の場合に限り、当該ＨＡＲＱデータ＃ｎ＋１の伝送を行なう。一方、ＲＳ＃１，＃２間及びＲＳ＃２とＭＳ＃３との間においてＨＡＲＱデータの伝送に失敗している場合は、失敗している区間に対して再送を行なうようにスケジューリング情報を生成し、各ＲＳ＃１，＃２に送信する。ＢＳ１とＲＳ＃１との間でＨＡＲＱデータの伝送に失敗している場合においては、ＢＳ１からＨＡＲＱデータの再送を行なう。【０１７３】
（ＲＳ２での処理）
一方、図１４は、ＢＳ１からスケジューリング情報を受信、あるいはスケジューリング情報及びＨＡＲＱデータを受信したときのＲＳ２（ＲＳ制御部２５）のＭＳ３に対する処理動作例を示している。【０１７４】
この図１４に示すように、ＲＳ２は、基本的に第１の形態と同様の処理を行なう。ここで、ＨＡＲＱデータの送信先がＲＳ２（＃２）の場合は、次のＲＳ＃２からの応答の結果を確認して処理を行なう。【０１７５】
（３ホップシステムにおけるＤＬの再送制御シーケンス）
上述したＢＳ１及びＲＳ２の動作（ＤＬ処理）を前提として、ＢＳ１とＭＳ３との間の通信を２台のＲＳ＃１，＃２が中継する場合のＤＬの再送処理のシーケンスを図１５に示す。この図１５は、ＲＳ＃２からＭＳ＃３へのＨＡＲＱデータの伝送に誤りが生じて、ＲＳ＃２からＭＳ＃３へ再送を行なう場合の処理シーケンス（ステップＡ３１〜Ａ６３）について示している。【０１７６】
ここで、本例の要旨である処理に着目して説明すると、ＢＳ１は、第１実施形態のＤＬ処理と同様に、ＭＳ＃３からのＨＡＲＱデータ伝送に対する応答を受信する前に、新規ＨＡＲＱデータの伝送を開始する（ステップＡ４５〜Ａ４７，Ａ５９〜Ａ６１）。【０１７７】
ＭＳ＃３は、ＲＳ＃２からのＨＡＲＱデータ＃１の受信に失敗し（ステップＡ４１）、ＲＳ＃２に対してＮＡＫ（再送要求）を送信する（ステップＡ４２）。
この間、ＢＳ１は、ＲＳ＃１に対して、新規ＨＡＲＱデータ＃２の送信を行なっており（ステップＡ４５〜Ａ４７）、ＲＳ＃１は、ＲＳ＃２に対して当該新規データ＃２の中継を行なっている（ステップＡ５０〜Ａ５２）。【０１７８】
ＲＳ＃２は、ＭＳ＃３からＮＡＫ（再送要求）を受信したときに（ステップＡ４２）、ＭＳ＃３に対して、ＲＳ＃１から受信した新規ＨＡＲＱデータ♯２をＭＳ＃３に送信する代わりに、１つ前のＨＡＲＱデータ＃１の再送を行なう（ステップＡ５５，Ａ５６）。そして、ＲＳ＃２は、ＲＳ＃１から受信した新規ＨＡＲＱデータ＃２をＨＡＲＱバッファ２４にバッファする。【０１７９】
その間に、ＢＳ１は、ＨＡＲＱデータ♯１に対するＭＳ＃３のＮＡＫ（再送要求）を受信する（ステップＡ４３，Ａ４４）。ここで、ＢＳ１は、新規のＨＡＲＱデータ♯４の送信機会を与えられたときに、ＲＳ＃１のＨＡＲＱデータ＃３の受信状況、ＲＳ＃２のＨＡＲＱデータ＃２の受信状況、ＭＳ３のＨＡＲＱデータ＃１の受信状況を確認し、ＨＡＲＱデータ＃４を送信するか否かを判断する。
【０１８０】
本例の場合、ＢＳ１は、ＲＳ＃２において、ＨＡＲＱバッファ２４にバッファされているＨＡＲＱデータが存在することを認識し、フレーム＃ｎ＋９におけるＨＡＲＱデータ＃４の送信機会において、ＨＡＲＱデータ＃４の伝送を停止し、ＲＳ＃２とＭＳ＃３との間におけるＨＡＲＱデータ＃３の伝送のためのスケジューリング情報を送信する（ステップＡ５９〜Ａ６１）。そのスケジューリング情報を受信（ステップＡ６２，Ａ６３）したＲＳ＃２は、ＨＡＲＱバッファ２４にバッファしていたＨＡＲＱデータ＃２を送信する。【０１８１】
（ＵＬ処理の詳細例）
次に、ＢＳ１とＭＳ３との間の通信を２台のＲＳ２（＃１，＃２）が中継する場合（３ホップシステム）のＵＬ処理の詳細について、図１６〜図１８を用いて説明する。【０１８２】
（ＢＳ１での処理）
図１６は、ＢＳ１（ＢＳ制御部１５）のＲＳ２に対する処理動作例を示している。
この図１６に示すように、ＢＳ１（ＢＳ制御部１５）は、第１実施形態におけるＢＳ１のＵＬ処理と同様に、３つの状態Ｓ０，Ｓ１，Ｓ２をＢＳ状態管理部１５３（状態管理テーブル）にて管理し、当該状態に応じた処理を行なう。即ち、この場合のＢＳ１は、ＲＳ＃１，＃２間及びＲＳ＃２とＭＳ＃３との間の誤り発生の状況に関係なく、周期的にＨＡＲＱデータ送信のための割り当てを行なう。【０１８３】
（ＲＳ２での処理）
一方、ＲＳ２（ＲＳ制御部２５）は、例えば図１７に示すように、ＭＳ３からのＨＡＲＱデータの受信状況（ＯＫ又はＮＧ）と、ＢＳ１からの１つ前のＨＡＲＱデータの再送要求の受信状況とに応じた２つの状態Ｓ０，Ｓ１をＲＳ状態管理部２５３（状態管理テーブル）にて管理し、その状態Ｓ０，Ｓ１に応じた処理を実行する。【０１８４】
即ち、ＲＳ２は、周期的に割り当てられる次のＲＳ２あるいはＭＳ３に対するＨＡＲＱデータの送信の割り当てに対して、１つ前のＨＡＲＱデータ受信状況を加味して、DL/UL MAPを生成する。例えば、１つ前のＨＡＲＱデータ受信の際に誤りが発生した場合は、生成するDL/UL MAPのAI_SNを１つ前のDL/UL MAPのAI_SNと同じ値にして、下位ノードに再送を要求する。一方、１つ前のＨＡＲＱデータの受信が成功している場合は、生成するDL/UL MAPのAI_SNを１つ前のDL/UL MAPのAI_SNを反転させた値にして、下位ノードに新規ＨＡＲＱデータの送信を要求する。【０１８５】
（３ホップシステムにおけるＵＬの再送制御シーケンス）
次に、上述したＢＳ１及びＲＳ２の動作（ＵＬ処理）を前提として、ＢＳ１とＭＳ３との間の通信を２台のＲＳ＃１，＃２が中継する場合のＵＬの再送処理のシーケンスを図１８に示す。この図１８は、ＲＳ＃２とＭＳ＃３との間のＨＡＲＱデータの伝送に誤りが生じて、ＭＳ＃３から再送を行なう場合の処理（ステップＢ４１〜Ｂ６７）について示している。【０１８６】
ここで、本例の要旨である処理に着目して説明すると、ＲＳ＃２は、上位のＲＳ＃１から受信したスケジューリング情報を基にＭＳ３からのＨＡＲＱデータの送信を要求するDL/UL MAPを生成してＭＳ＃３に送信し、これにより、ＭＳ＃３からＨＡＲＱデータを受信した場合（ステップＢ４１〜Ｂ４４）、そのＨＡＲＱデータをデコードし、デコード結果（図１８ではＮＡＫ）をＢＳ１に通知する（ステップＢ４５，Ｂ５４，Ｂ５５）。【０１８７】
ＢＳ１は、ＭＳ３及びＲＳ２へのリソース割当に余裕がある場合は、ＨＡＲＱデータの送信の割り当てをほぼ等間隔で行なう（ステップＢ４６〜Ｂ４９、Ｂ６０，Ｂ６１，Ｂ６３，Ｂ６４）。【０１８８】
ＲＳ２は、ＢＳ１あるいは上位のＲＳ２から受信したスケジューリング情報を基に下位の無線リンクにおいてＭＳ＃３がＨＡＲＱデータを送信するのためのDL/UL MAPを生成、送信する（ステップＢ５０、Ｂ５２，Ｂ５３，Ｂ６２，Ｂ６５，Ｂ６６）。【０１８９】
ＢＳ１は、スケジューリング情報の生成にあたっては、新規ＨＡＲＱデータの送信を想定する。ＲＳ２は、隣接ＲＳ２あるいはＭＳ３からのＨＡＲＱデータの送信に対して、１つ前のＨＡＲＱデータの送信の際に誤りが発生している場合（ステップＢ４５）は、ＨＡＲＱデータの再送を行なうために、上位側から周期的に受信するスケジューリング情報を基にDL/UL MAPを更新する（１つ前のＨＡＲＱデータの送信を要求する）。【０１９０】
（補足）
なお、上述した２ホップシステムと３ホップシステムのそれぞれにおけるＢＳ１及びＲＳ２での処理は、基本的に同様であるが、以下の点で異なる。【０１９１】
(ＤＬ)
ＢＳ１：ホップ数が増えるにつれてＨＡＲＱデータに対する応答を参照する数が増える。
ＲＳ１：ホップ数が増えるにつれてＨＡＲＱデータをバッファする最大数が増える。【０１９２】
(ＵＬ)
ＲＳ２：ホップ数が増えるにつれてＨＡＲＱデータをバッファする最大数が増える。
【産業上の利用可能性】
【０１９３】
以上詳述したように、本発明によれば、無線中継システムにおける再送処理の遅延を抑制することができるので、無線通信技術分野において極めて有用であると考えられる。
【図１】
2008129677.tif 000003
【図２】
2008129677.tif 000004
【図３】
2008129677.tif 000005
【図４】
2008129677.tif 000006
【図５】
2008129677.tif 000007
【図６】
2008129677.tif 000008
【図７】
2008129677.tif 000009
【図８】
2008129677.tif 000010
【図９】
2008129677.tif 000011
【図１０】
2008129677.tif 000012
【図１１】
2008129677.tif 000013
【図１２】
2008129677.tif 000014
【図１３】
2008129677.tif 000015
【図１４】
2008129677.tif 000016
【図１５】
2008129677.tif 000017
【図１６】
2008129677.tif 000018
【図１７】
2008129677.tif 000019
【図１８】
2008129677.tif 000020
【図１９】
2008129677.tif 000021
【図２０】
2008129677.tif 000022
【図２１】
2008129677.tif 000023
【図２２】
2008129677.tif 000024
【国際調査報告】
2008129677.tif 000025
2008129677.tif 000026
2008129677.tif 000027
2008129677.tif 000028
2008129677.tif 000029
2008129677.tif 000030
2008129677.tif 000031
2008129677.tif 000032